(57)【要約】サーバ４や端末に対しリンク先ホームページ情報を含むホームページのダウンロード要求があると、ダウンロード要求に際して、およびダウンロード応答接続中に、基本ホームページへ特殊クリックポイントＰＣＰやリンク先ホームページ情報を随所に埋め込み、ホームページのクリックポイントを含む構成内容がダウンロード要求毎に異なるように構成したので、ホームページに意外性や新鮮味を提供できる。
2003107195.tif 000002
【特許請求の範囲】
【請求項１】
特殊クリックポイントが埋め込まれた特殊クリックポイント埋め込みホームページ情報を供給するホームページ情報供給方法。
【請求項２】
特殊クリックポイント埋め込みホームページ情報には、相互に関連したリンク先ホームページ情報と特殊クリックポイントとが埋め込まれていることを特徴とする請求の範囲第１項記載のホームページ情報供給方法。
【請求項３】
前記特殊クリックポイント埋め込みホームページ情報には、リンク先ホームページサイトを含むホームページサイトのホームページ情報と特殊クリックポイントを相互に関連させた、前記特殊クリックポイントが埋め込まれていることを特徴とする請求の範囲第２項記載のホームページ情報供給方法。
【請求項４】
リンク先ホームページ情報や特殊クリックポイントは、特殊クリックポイント埋め込みホームページ情報に所定の条件をもとに埋め込まれていることを特徴とする請求の範囲第２項記載のホームページ情報供給方法。
【請求項５】
所定の条件は、アクセスカウンタが示すカウンタ値、アクセスがあった日付・時刻を含むタイミング情報、任意に設定された条件やタイミングにもとづく動作指示情報やタイミング情報、手動による動作指示情報やタイミング情報により規定されることを特徴とする請求の範囲第４項記載のホームページ情報供給方法。
【請求項６】
アクセスカウンタが示すカウンタ値、アクセスがあった日付・時刻を含むタイミング情報、任意に設定された条件やタイミングにもとづく動作指示情報やタイミング情報、手動による動作指示情報やタイミング情報により、特殊クリックポイントに付与する得点、前記特殊クリックポイントのクリック時の課金、または前記特殊クリックポイントが埋め込まれたことを音声で通知するためのトリガを決定することを特徴とする請求の範囲第５項記載のホームページ情報供給方法。
【請求項７】
特殊クリックポイントは、ブラインド特殊クリックポイント、ユニーク特殊クリックポイント、インタレスト特殊クリックポイント、エキストラ特殊クリックポイント、ボイス特殊クリックポイントを含むことを特徴とする請求の範囲第４項記載のホームページ情報供給方法。
【請求項８】
前記ブラインド特殊クリックポイント、ユニーク特殊クリックポイント、インタレスト特殊クリックポイント、エキストラ特殊クリックポイント、ボイス特殊クリックポイントにはクリックあるいは動作指示を行なった際に“空”の動作を実行する形態の特殊クリックポイントが含まれることを特徴とする請求の範囲第７項記載のホームページ情報供給方法。
【請求項９】
特殊クリックポイント埋め込みホームページ情報に埋め込まれているリンク先ホームページ情報や特殊クリックポイントは、ダウンロード要求に際して、およびダウンロード応答接続中の状態であって所定の条件をもとに、リンク先ホームページサイトのホームページを含むホームページサイトのホームページに埋め込まれているものであることを特徴とする請求の範囲第４項記載のホームページ情報供給方法。
【請求項１０】
リンク先ホームページ情報や特殊クリックポイントは、特殊クリックポイント埋め込みホームページ情報に対しダウンロード要求に際して、およびダウンロード応答接続中の状態であって所定の条件をもとに随所に配置位置を変えて埋め込まれているものであることを特徴とする請求の範囲第４項記載のホームページ情報供給方法。
【請求項１１】
リンク先ホームページ情報や特殊クリックポイントは、特殊クリックポイント埋め込みホームページ情報に対しダウンロード要求に際して、およびダウンロード応答接続中の状態であって所定の条件をもとに同一位置を含む随所に配置され埋め込まれているものであることを特徴とする請求の範囲第４項記載のホームページ情報供給方法。
【請求項１２】
特殊クリックポイント埋め込みホームページ情報に埋め込まれているリンク先ホームページ情報や特殊クリックポイントは、配置を規定する複数の特殊クリックポイント配置パターン情報から所定の条件をもとに選択された特殊クリックポイント配置情報をもとに埋め込まれているものであることを特徴とする請求の範囲第９項記載のホームページ情報供給方法。
【請求項１３】
特殊クリックポイント埋め込みホームページ情報に埋め込まれているリンク先ホームページ情報や特殊クリックポイントは、アクセスカウンタが示すカウンタ値、アクセスがあった日付・時刻を含むタイミング情報、任意に設定された条件やタイミングにもとづく動作指示情報やタイミング情報、手動による動作指示情報やタイミング情報により決定されたトリガに対し計算ロジックが関与し選択した特殊クリックポイント配置パターン情報をもとに、選択され埋め込まれているものであることを特徴とする請求の範囲第５項記載のホームページ情報供給方法。
【請求項１４】
特殊クリックポイント埋め込みホームページ情報に埋め込まれているリンク先ホームページ情報や特殊クリックポイントは、アクセスカウンタが示すカウンタ値、アクセスがあった日付・時刻を含むタイミング情報、任意に設定された条件やタイミングにもとづく動作指示情報やタイミング情報、手動による動作指示情報やタイミング情報により決定されたトリガに対しランダム配置ロジックが関与し、特殊クリックポイント配置情報を生成し、前記生成した特殊クリックポイント配置情報をもとに埋め込まれているものであることを特徴とする請求の範囲第５項記載のホームページ情報供給方法。
【請求項１５】
特殊クリックポイント埋め込みホームページ情報をリンク先ホームページサイトを含むホームページサイトのサーバ側またはクライアント側で作成し、前記サーバ側からクライアント側へ、または前記クライアント側で前記特殊クリックポイント埋め込みホームページ情報を供給する請求の範囲第４項記載のホームページ情報供給方法。
【請求項１６】
クライアント側またはリンク先ホームページサイト側からのダウンロード要求に際してホームページを供給するサーバ装置であって、
所定の条件下でのトリガを読み取るトリガ読み取り手段と、
前記トリガ読み取り手段が読み取った前記トリガ、または任意のタイミングにおいて手動により決定されたトリガをもとに、リンク先ホームページ情報や特殊クリックポイントを基本ホームページの随所に埋め込む特殊クリックポイント埋め込み手段と、
前記基本ホームページに埋め込む特殊クリックポイントを検索して選択する特殊クリックポイント検索・選択手段と、
前記基本ホームページに埋め込む前記リンク先ホームページ情報を検索して選択するリンク先ホームページ情報検索・選択手段と、
前記特殊クリックポイント埋め込み手段が前記基本ホームページにリンク先ホームページ情報や特殊クリックポイントを埋め込んでいる特殊クリックポイント埋め込みホームページ情報を前記クライアント側や前記リンク先ホームページサイト側へ供給するホームページ情報供給手段と、
を備えたことを特徴とするサーバ装置。
【請求項１７】
トリガ読み取り手段は、クライアント側からのダウンロード要求に際して、およびダウンロード応答接続中の状態であって所定の条件下でのトリガを読み取ることを特徴とする請求の範囲第１６項記載のサーバ装置。
【請求項１８】
特殊クリックポイントが埋め込まれていることを表す表示手段と、前記特殊クリックポイントが埋め込まれたことを音声で通知し、音声による応答を認識する音声通知・認識手段と、前記特殊クリックポイントに付与する得点を規定する得点規定手段と、前記規定された得点を前記特殊クリックポイントに付与する得点付与手段と、クライアントが前記特殊クリックポイントをクリックした際に取得した得点を、クライアント毎に登録・集計管理する登録・集計手段と、前記クライアント毎の得点の精算管理を行う精算手段と、前記クライアントが前記特殊クリックポイントをクリックした際の課金・精算について管理する課金・精算手段とを備えたことを特徴とする請求の範囲第１６項記載のサーバ装置。
【請求項１９】
特殊クリックポイント埋め込みホームページ情報に埋め込まれているリンク先ホームページ情報や特殊クリックポイントを消し、無効にするための特殊クリックポイント無効処理手段を備えたことを特徴とする請求の範囲第１６項記載のサーバ装置。
【請求項２０】
特殊クリックポイントは、ブラインド特殊クリックポイント、ユニーク特殊クリックポイント、インタレスト特殊クリックポイント、エキストラ特殊クリックポイント、またはボイス特殊クリックポイントのいずれかを含み、前記ブラインド特殊クリックポイント、ユニーク特殊クリックポイント、インタレスト特殊クリックポイント、エキストラ特殊クリックポイントまたはボイス特殊クリックポイントにはクリックあるいは動作指示を行なった際に“空”の動作を実行する形態の特殊クリックポイントが含まれることを特徴とする請求の範囲第１６項記載のサーバ装置。
【発明の詳細な説明】
技術分野
この発明は、例えばインターネットなどの通信ネットワークを利用したコンピュータシステムにおいて、ホームページ情報を取得しようとするクライアント側からのダウンロード要求に際して応答し、前記ホームページ情報を前記クライアント側へ供給するホームページ情報供給方法および装置に関するものである。
背景技術
従来、インターネットホームページを媒介として広告情報を含む各種ホームページ情報が提供されている。クライアント側は、前記各種ホームページ情報を取得しようとするときには、インターネットへ接続したパーソナルコンピュータや情報（通信）機器などの端末を操作して前記インターネットホームページへアクセスし、前記インターネットホームページを提供するサーバ装置に対しそのインターネットホームページ情報のダウンロードを要求し、クライアント側で操作する端末へ前記インターネットホームページ情報をダウンロードして閲覧する。
一方、前記インターネットホームページ情報を提供する側では、前記インターネットホームページ情報を更新するなどして、クライアント側に飽きられないようにして前記クライアント側のいっそうの満足度を得るようにしているが、クライアント側からアクセスされるホームページのインターネットホームページ情報の内容は、そのホームページの運営者により更新されない限り変わることはなく、そのホームページを訪れる全てのクライアントに対し常に同じ内容のインターネットホームページ情報を提供することになる。この結果、前記ホームページを訪れようとするクライアントは、インターネットホームページ情報の内容が更新された時期を見計らって再訪するのが一般的である。
従来のインターネットホームページ情報の提供は以上のように行われているため、来訪するクライアントの数や来訪の頻度を増やすためには、ホームページの運営者はそのインターネットホームページ情報を出来る限り頻繁に更新し、提供するホームページについて常に新鮮味を保つ必要があるが、更新しようとするインターネットホームページ情報の量に制約があったり、更新するための作業に手間を要するなど、短い時間間隔でインターネットホームページ情報を頻繁に更新するのは容易でないという課題がある。
この発明は、上記のような課題を解決するためになされたものであり、リンク先ホームページサイトを含むホームページサイトへアクセスするクライアントに対し前記ホームページサイトのホームページの内容について常に新鮮な感覚を与え興味を喚起できるホームページ情報供給方法および装置を得ることを目的とする。
発明の開示
この発明に係るホームページ情報供給方法は、特殊クリックポイントが埋め込まれた特殊クリックポイント埋め込みホームページ情報を供給するようにしたものである。
このことによって、特殊クリックポイントが埋め込まれているホームページをクライアント側へ提供することが出来、前記特殊クリックポイントが埋め込まれていることから、アクセスするホームページサイトに対しクライアント側は常に新鮮な感覚を持つことが出来、飽きることのない興味を喚起できる効果がある。
この発明に係るホームページ情報供給方法は、相互に関連したリンク先ホームページ情報と特殊クリックポイントとが埋め込まれている特殊クリックポイント埋め込みホームページ情報を供給するようにしたものである。
このことによって、特殊クリックポイントが埋め込まれているリンク先ホームページ情報や特殊クリックポイントが埋め込まれている特殊クリックポイント埋め込みホームページ情報をクライアント側へ提供することが出来、リンク先ホームページサイトを含むホームページサイトに対しアクセスするクライアント側は常に新鮮な感覚を持つことが出来、飽きることのない興味を喚起できる効果がある。
この発明に係るホームページ情報供給方法は、リンク先ホームページサイトを含むホームページサイトのホームページ情報と特殊クリックポイントを相互に関連させた、前記特殊クリックポイントが埋め込まれている特殊クリックポイント埋め込みホームページ情報を供給するようにしたものである。
このことによって、特殊クリックポイントが埋め込まれているリンク先ホームページサイトのホームページ情報や特殊クリックポイントが埋め込まれている特殊クリックポイント埋め込みホームページサイトのホームページ情報をクライアント側へ提供することが出来、リンク先ホームページサイトを含むホームページサイトに対しアクセスするクライアント側は常に新鮮な感覚を持つことが出来、飽きることのない興味を喚起できる効果がある。
この発明に係るホームページ情報供給方法は、リンク先ホームページ情報や特殊クリックポイントが、所定の条件をもとに埋め込まれている特殊クリックポイント埋め込みホームページ情報を供給するようにしたものである。
このことによって、リンク先ホームページ情報や特殊クリックポイントが所定の条件をもとに埋め込まれている特殊クリックポイント埋め込みホームページ情報をクライアント側やリンク先ホームページサイト側へ提供することが出来、アクセスするリンク先ホームページサイトを含むホームページサイトに対しクライアント側は常に新鮮な感覚を持つことが出来、飽きることのない興味を喚起できる効果がある。
この発明に係るホームページ情報供給方法は、所定の条件が、アクセスカウンタの示すカウンタ値、アクセスがあった日付・時刻を含むタイミング情報、任意に設定された条件やタイミングにもとづく動作指示情報やタイミング情報、手動による動作指示情報やタイミング情報により規定されるようにしたものである。
このことによって、アクセスカウンタの示すカウンタ値、アクセスがあった日付・時刻を含むタイミング情報、任意に設定された条件やタイミングにもとづく動作指示情報やタイミング情報、手動による動作指示情報やタイミング情報に応じて特殊クリックポイントが埋め込まれている特殊クリックポイント埋め込みホームページ情報をクライアント側へ提供することが出来、アクセスするホームページサイトに対しクライアント側は常に新鮮な感覚を持つことが出来、飽きることのない興味を喚起できる効果がある。
この発明に係るホームページ情報供給方法は、アクセスカウンタが示すカウンタ値、アクセスがあった日付・時刻を含むタイミング情報、任意に設定された条件やタイミングにもとづく動作指示情報やタイミング情報、手動による動作指示情報やタイミング情報により、特殊クリックポイントに付与する得点、前記特殊クリックポイントのクリック時の課金、または前記特殊クリックポイントが埋め込まれたことを音声で通知するためのトリガを決定するようにしたものである。
このことによって、特殊クリックポイントに付与される得点、前記特殊クリックポイントのクリック時の課金、前記特殊クリックポイントの埋め込みについての音声通知が、アクセスカウンタの示すカウンタ値、アクセスがあった日付・時刻を含むタイミング情報、任意に設定された条件やタイミングにもとづく動作指示情報やタイミング情報、手動による動作指示情報やタイミング情報に応じて行われるようになり、アクセスするホームページサイトに対しクライアント側は常に新鮮な感覚を持つことが出来、飽きることのない興味を喚起できる効果がある。
この発明に係るホームページ情報供給方法は、特殊クリックポイントが、ブラインド特殊クリックポイント、ユニーク特殊クリックポイント、インタレスト特殊クリックポイント、エキストラ特殊クリックポイント、ボイス特殊クリックポイントを含むようにしたものである。
このことによって、ブラインド特殊クリックポイント、ユニーク特殊クリックポイント、インタレスト特殊クリックポイント、エキストラ特殊クリックポイント、ボイス特殊クリックポイントを含む特殊クリックポイントが所定の条件をもとに埋め込まれている特殊クリックポイント埋め込みホームページ情報をクライアント側へ提供することが出来、クライアント側は、前記特殊クリックポイントによりアクセスするホームページサイトに対し新鮮な感覚を持つことが出来、飽きることのない興味を喚起できる効果がある。
この発明に係るホームページ情報供給方法は、ブラインド特殊クリックポイント、ユニーク特殊クリックポイント、インタレスト特殊クリックポイント、エキストラ特殊クリックポイント、ボイス特殊クリックポイントが、クリックあるいは動作指示を行なった際に“空”の動作を実行する形態の特殊クリックポイントを含むようにしたものである。
このことによって、特殊クリックポイントに対しクリックあるいは動作指示を行なった際に“空”の動作を実行する場合が生じ、アクセスするホームページに対しクライアント側は、前記特殊クリックポイントに応じた新鮮な感覚を持つことが出来、アクセスしたホームページサイトに対し飽きることのない興味を喚起できる効果がある。
この発明に係るホームページ情報供給方法は、リンク先ホームページ情報や特殊クリックポイントが、ダウンロード要求に際して、およびダウンロード応答接続中の状態であって所定の条件をもとにリンク先ホームページサイトのホームページを含むホームページサイトのホームページに埋め込まれているようにしたものである。
このことによって、リンク先ホームページ情報や特殊クリックポイントがダウンロード要求に際して、およびダウンロード応答接続中の状態であって所定の条件をもとにリンク先ホームページサイトのホームページを含むホームページサイトのホームページに埋め込まれている特殊クリックポイント埋め込みホームページ情報をクライアント側へ提供することが出来、クライアント側はアクセスするホームページサイトに対し常に新鮮な感覚を持つことが出来、興味を喚起できる効果がある。
この発明に係るホームページ情報供給方法は、リンク先ホームページ情報や特殊クリックポイントが特殊クリックポイント埋め込みホームページに対しダウンロード要求に際して、およびダウンロード応答接続中の状態であって所定の条件をもとに随所に配置位置を変えて埋め込まれているようにしたものである。
このことによって、リンク先ホームページ情報や特殊クリックポイントがダウンロード要求に際して、およびダウンロード応答接続中の状態であって所定の条件をもとに随所に配置位置を変えて埋め込まれている特殊クリックポイント埋め込みホームページ情報をクライアント側へ提供することが出来、クライアント側は、アクセスするホームページサイトに対し常に新鮮な感覚を持つことが出来、興味を喚起できる効果がある。
この発明に係るホームページ情報供給方法は、リンク先ホームページ情報や特殊クリックポイントが特殊クリックポイント埋め込みホームページに対しダウンロード要求に際して、およびダウンロード応答接続中の状態であって所定の条件をもとに同一位置を含む随所に配置され埋め込まれているようにしたものである。
このことによってリンク先ホームページ情報や特殊クリックポイントがダウンロード要求に際して、およびダウンロード応答接続中の状態であって所定の条件をもとに同一位置を含む随所に配置して埋め込まれている特殊クリックポイント埋め込みホームページ情報をクライアント側へ提供することができ、クライアント側は、アクセスするホームページサイトに対し常に新鮮な感覚を持つことが出来、興味を喚起できる効果がある。
この発明に係るホームページ情報供給方法は、複数の特殊クリックポイント配置パターン情報から所定の条件をもとに選択された特殊クリックポイント配置情報をもとに、リンク先ホームページ情報や特殊クリックポイントが埋め込まれている特殊クリックポイント埋め込みホームページ情報をクライアント側へ供給するようにしたものである。
このことによって、所定の条件をもとに選択され、特殊クリックポイント配置パターン情報に応じてリンク先ホームページ情報や特殊クリックポイントが埋め込まれている特殊クリックポイント埋め込みホームページ情報をクライアント側へ提供することが出来、クライアント側はアクセスするホームページサイトに対し常に新鮮な感覚を持つことが出来、アクセスしたホームページサイトに対し飽きることのない興味を喚起できる効果がある。
この発明に係るホームページ情報供給方法は、アクセスカウンタが示すカウンタ値、アクセスがあった日付・時刻を含むタイミング情報、任意に設定された条件やタイミングにもとづく動作指示情報やタイミング情報、手動による動作指示情報やタイミング情報により決定されたトリガに対し計算ロジックが関与し選択した特殊クリックポイント配置パターン情報をもとに、リンク先ホームページ情報や特殊クリックポイントが埋め込まれている特殊クリックポイント埋め込みホームページ情報をクライアント側へ供給するようにしたものである。
このことによって、計算ロジックが関与し選択した特殊クリックポイント配置パターン情報をもとにリンク先ホームページ情報や特殊クリックポイントが埋め込まれている特殊クリックポイント埋め込みホームページ情報をクライアント側へ提供することが出来、クライアント側はアクセスするホームページサイトに対し常に新鮮な感覚を持つことが出来、アクセスしたホームページサイトに対し飽きることのない興味を喚起できる効果がある。
この発明に係るホームページ情報供給方法は、アクセスカウンタが示すカウンタ値、アクセスがあった日付・時刻を含むタイミング情報、任意に設定された条件やタイミングにもとづく動作指示情報やタイミング情報、手動による動作指示情報やタイミング情報により決定されたトリガに対しランダム配置ロジックが関与し生成した特殊クリックポイント配置情報をもとに、リンク先ホームページ情報や特殊クリックポイントが埋め込まれている特殊クリックポイント埋め込みホームページ情報をクライアント側へ供給するようにしたものである。
このことによって、ランダム配置ロジックが関与し生成した特殊クリックポイント配置情報をもとにリンク先ホームページ情報や特殊クリックポイントが埋め込まれている特殊クリックポイント埋め込みホームページ情報をクライアント側へ提供することが出来、クライアント側はアクセスするホームページサイトに対し常に新鮮な感覚を持つことが出来、ホームページサイトのアクセスに対し飽きることのない興味を喚起できる効果がある。
この発明に係るホームページ情報供給方法は、特殊クリックポイント埋め込みホームページ情報をリンク先ホームページサイトを含むホームページサイトのサーバ側またはクライアント側で作成し、前記サーバ側からクライアント側へまたはクライアント側自体で前記特殊クリックポイント埋め込みホームページ情報を供給するようにしたものである。
このことによって、リンク先ホームページサイトを含むホームページサイトへアクセスするクライアント側に対し常に新鮮な感覚を与えて興味を喚起できる効果がある。
この発明に係るサーバ装置は、所定の条件下でのトリガを読み取るトリガ読み取り手段と、前記トリガ読み取り手段が読み取った前記トリガ、または任意のタイミングにおいて手動により決定されたトリガをもとに、リンク先ホームページ情報や特殊クリックポイントを基本ホームページの随所に埋め込む特殊クリックポイント埋め込み手段と、前記基本ホームページに埋め込む特殊クリックポイントを検索して選択する特殊クリックポイント検索・選択手段と、前記基本ホームページに埋め込む前記リンク先ホームページ情報を検索して選択するリンク先ホームページ情報検索・選択手段と、前記特殊クリックポイント埋め込み手段が前記基本ホームページにリンク先ホームページ情報や特殊クリックポイントを埋め込んだ特殊クリックポイント埋め込みホームページ情報を前記クライアント側や前記リンク先ホームページサイト側へ供給するホームページ情報供給手段とを備えるようにしたものである。
このことによって、リンク先ホームページ情報や特殊クリックポイントが埋め込まれた特殊クリックポイント埋め込みホームページ情報を、リンク先ホームページサイトを含むホームページサイトへアクセスするクライアント側へ供給することが出来、クライアント側に対し常に新鮮な感覚を与え、前記クライアント側の興味を喚起できる効果がある。
この発明に係るサーバ装置は、トリガ読み取り手段が、クライアント側からのダウンロード要求に際して、およびダウンロード応答接続中の状態であって所定の条件下でのトリガを読み取るようにしたものである。
このことによって、前記所定の条件下でのトリガに応じて、リンク先ホームページ情報や特殊クリックポイントが埋め込まれた特殊クリックポイント埋め込みホームページ情報を、リンク先ホームページサイトを含むホームページサイトへアクセスするクライアント側へ供給することが出来、クライアント側に対し常に新鮮な感覚を与え、前記クライアント側の興味を喚起できる効果がある。
この発明に係るサーバ装置は、特殊クリックポイントが埋め込まれたことを表す表示手段と、前記特殊クリックポイントが埋め込まれたことを音声で通知し、音声による応答を認識する音声通知・認識手段と、前記特殊クリックポイントに付与する得点を規定する得点規定手段と、前記規定された得点を前記特殊クリックポイントに付与する得点付与手段と、クライアントが前記特殊クリックポイントをクリックした際に取得した得点を、クライアント毎に登録・集計管理する登録・集計手段と、前記クライアント毎の得点の精算管理を行う精算手段と、前記クライアントが前記特殊クリックポイントをクリックした際の課金・精算について管理する課金・精算手段とを備えるようにしたものである。
このことによって、前記音声による通知、前記特殊クリックポイントに付与される得点、前記特殊クリックポイントをクリックした際の課金などにより、クライアント側に対し常に新鮮な感覚を与え、前記クライアント側の興味を喚起できる効果がある。
この発明に係るサーバ装置は、特殊クリックポイント埋め込みホームページ情報に埋め込まれているリンク先ホームページ情報や特殊クリックポイントを消し、無効にするための特殊クリックポイント無効処理手段を備えるようにしたものである。
このことによって、特殊クリックポイント埋め込みホームページ情報に埋め込まれているリンク先ホームページ情報や特殊クリックポイントを消して無効にすることが可能になり、クライアント側に対し常に新鮮な感覚を与え、前記クライアント側の興味を喚起できる効果がある。
この発明に係るサーバ装置は、特殊クリックポイントが、ブラインド特殊クリックポイント、ユニーク特殊クリックポイント、インタレスト特殊クリックポイント、エキストラ特殊クリックポイント、ボイス特殊クリックポイントを含み、前記ブラインド特殊クリックポイント、ユニーク特殊クリックポイント、インタレスト特殊クリックポイント、エキストラ特殊クリックポイント、ボイス特殊クリックポイントにはクリックあるいは動作指示を行なった際に“空”の動作を実行する形態の特殊クリックポイントが含まれるようにしたものである。
このことによって、前記各種特殊クリックポイントと、前記“空”の動作を実行する形態の特殊クリックポイントにより、クライアント側に対し常に新鮮な感覚を与え、前記クライアント側の興味を喚起できる効果がある。
発明を実施するための最良の形態
以下、この発明をより詳細に説明するために、この発明を実施するための最良の実施について、添付の図面に従って説明する。
実施の形態１．
先ず、以下の説明における用語の定義について説明する。「情報提供者」とはホームページ情報提供者のことであり、「クライアント」とはインターネットを介してホームページへアクセスしホームページをダウンロードし閲覧する情報受給者であり、「クリックポイント」とはホームページ上に設けられクライアントが動作指示を行う目的でクリックあるいはタップ可能な例えばマウスカーソルが矢印から指マークへ変わるクリックまたはタップすることにより動作指示の可能な位置またはエリアまたは機能である（埋め込まれたことが音声によって通知され、音声を認識することによる動作指示を可能にする機能も含む）。また、「ホームページ」とはリンク先ホームページサイトのホームページおよび通常形態のホームページを指し、通常形態のホームページにリンクするリンク先サイトのホームページも含む。「ホームページ情報」とは前記ホームページにリンクするリンク先ホームページサイトのホームページおよびホームページ情報あるいは通常形態のホームページおよびホームページ情報を含む。
「基本ホームページ」とは、特殊クリックポイントが埋め込まれるホームページであり、リンク先ホームページサイトの基本ホームページおよび通常形態のホームページの基本ホームページや通常形態のホームページにリンクするリンク先サイトのホームページの基本ホームページを含む。
「リンク先ホームページ情報」とは、特殊クリックポイントにリンクするホームページ情報として、また、特殊クリックポイントを含むリンク先ホームページ情報として基本ホームページに埋め込まれる各種ホームページのホームページ情報であり、ホームページアドレスや電話番号またはホームページのＵＲＬや認識番号（ＩＰアドレス）、画像、動画像、映像および音楽情報などのホームページ情報を含む。
また「通常形態のホームページ」とは、「特殊クリックポイントＰＣＰ」が埋め込まれていないホームページである。
また、「クリックポイント」は通常クリックポイントと「特殊クリックポイントＰＣＰ」に分けられ、前記「特殊クリックポイントＰＣＰ」は、さらにブラインド特殊クリックポイントＢＰＣＰと、ユニーク特殊クリックポイントＵＰＣＰと、インタレスト特殊クリックポイントＩＰＣＰと、エキストラ特殊クリックポイントＥＰＣＰと、ボイス特殊クリックポイントＶＰＣＰに分類される。また、「特殊クリックポイントＰＣＰ」は、条件下の動作指示情報やタイミング情報に応じて前記「基本ホームページ」に埋め込まれて供給され、あるいは条件下の動作指示情報やタイミング情報に応じて無効処理が行なわれる。
「ブラインド特殊クリックポイントＢＰＣＰ」とは存在が視認できずクリック後の動作も不明確なクリックポイントであり、また「ユニーク特殊クリックポイントＵＰＣＰ」とは存在は視認できるがクリック後の動作が不明確なクリックポイントであり、また「インタレスト特殊クリックポイントＩＰＣＰ」とは存在は視認できクリック後の動作も明確であるが、付帯するゲームエンジンの働きにより動作後の結果が一定でないクリックポイントであり、また「エキストラ特殊クリックポイントＥＰＣＰ」とは存在は視認でき、クリック後の動作も明確であるが「条件下」でのみ随所に埋め込まれるクリックポイントであり、また、「ボイス特殊クリックポイントＶＰＣＰ」とは存在は視認できず埋め込まれたことが音声によって通知されるクリックポイントをいう。
また、それぞれの特殊クリックポイントには空の動作指示を行う特殊クリックポイントが含まれる。また。前記特殊クリックポイントの形状や領域サイズは不定形である。
また、「通常起動ホームページ」とは、通常のホームページファイルがダウンロードされる。そして、この通常のホームページファイルでは一般的なホームページと同様なクリックポイントをクリックして動作指示を行いプログラムを選択する。クリックポイントがダウンロード要求に際して埋め込まれて配置されたり、無効処理されたり、また、クリックポイントの位置がダウンロード要求のたびに変化することはない。
また、「条件下起動ホームページ」とは、条件下でダウンロードされる特殊クリックポイントＰＣＰや特殊クリックポイントＰＣＰにリンクするリンク先ホームページ情報ファイルや特殊クリックポイントを含むリンク先ホームページ情報ファイルが埋め込まれたホームページであり、特殊クリックポイントＰＣＰ埋め込みファイルはアクセスカウンタのカウンタ値すなわちアクセス回数積算値、アクセスのあった日付、時刻を含むタイミング情報の例えば末尾数をもとに決定されたトリガにより作成される。
また、任意に設定された条件やタイミングにもとづく動作指示情報やタイミング情報の例えば何時間とか何ヶ月とか、何時から何時までとか、曜日とか、任意の随時とか、記念日とかと設定されることにより決定されるトリガによっても作成される。
また、前記タイミング情報によるトリガの決定に加えて任意のタイミングにおける手動による方法で決定されたトリガによっても作成される。
また、クライアント側の例えば任意のタイミングにおけるクリックなどの動作指示をトリガとすることによっても作成される。
次に、この実施の形態１によるホームページ情報供給方法について説明する。
この実施の形態１では、特殊クリックポイントを通常形態のホームページの基本ホームページに埋め込み、前記特殊クリックポイントが埋め込まれた通常形態のホームページの特殊クリックポイント埋込みホームページ情報をクライアント側に供給する。
第１図は、この実施の形態１のホームページ情報供給方法が適用されるネットワーク構成図であり、図において、１はインターネット、２はインターネット１へ接続したクライアント側で操作する端末、符号３と符号１０５および符号１０７はルータなどの経路制御装置、４は経路制御装置３を介してインターネット１へ接続したサーバである。
なお、第１図においてリンク先ホームページサーバ１０６および別のリンク先ホームページサーバ１０８は経路制御装置１０５，１０７を介してインターネット１へ接続しており、実施の形態２、実施の形態３において適用される際の構成図でもある。
また、第１図において、端末１０９および端末１１０は「サーバ機能」や一時的にデータを蓄積する「キャッシュ機能」、ネットワーク内の交通整理を行う「ルータ機能」などの役割を担うように設計されており、本来「サーバ装置」が担う機能や、「経路制御装置」が担うルータ機能をソフトウェアなどにより担うことが可能である。従って、前記端末１０９、１１０がインターネットに接続する上で経路制御装置は必要としない。また、前記端末１０９、１１０はサーバ機能も担っており、その際「サーバ装置」も必要としない。
また、前記サーバ４、１０６、１０８においてもサーバ機能および経路制御装置機能を有する端末であってもよい。
ここでは、以下の説明においてルータなどの経路制御装置３を介してインターネット１へ接続したサーバ４が係わる際の実施の形態１について説明する。
サーバ４には、前記クライアント側の端末２からアクセスされるホームページ情報が格納されており、サーバ４は、このホームページ情報供給方法を実現するための主処理部制御手段を備えている。
第２図は、前記サーバ（あるいは情報受給装置）４、リンク先ホームページサーバ１０６、または別のリンク先のホームページサーバ１０８の構成を示す機能ブロック図であり、図において１１は主処理部制御処理手段（ホームページ情報供給手段）、１２は他のサーバあるいは情報供給装置（情報受給装置（端末））クライアントに接続された入出力制御手段（ホームページ情報供給手段）、１３は特殊クリックポイントＰＣＰ（存在が視認できずクリック後の動作も不明確なブラインド特殊クリックポイントＢＰＣＰと、存在は視認できるがクリック後の動作は不明確なユニーク特殊クリックポイントＵＰＣＰと、存在は視認できクリック後の動作も明確であるが、付帯するゲームエンジンの働きにより動作後の結果が一定でないインタレスト特殊クリックポイントＩＰＣＰと、存在は視認でき、クリック後の動作も明確であるが、「条件下」でのみ随所に埋め込まれるエキストラ特殊クリックポイントＥＰＣＰと、存在は視認できず埋め込まれたことが音声によって通知されるボイス特殊クリックポイントＶＰＣＰを含む）のリンク先であるＰＣＰリンク先ホームページ情報ファイル、１４は特殊クリックポイントＰＣＰの配置パターンについてのＰＣＰ配置パターンファイル、１５はそのホームページに対するアクセス回数を示すアクセス回数積算値、アクセスがあった日付、時刻などを検出し出力するアクセスカウンタである。
２１は通常のホームページについて制御を行う通常ホームページ（ＨＰ）制御手段、２２はそのホームページへアクセスがあったときのそのアクセスカウンタ１５が出力するアクセス回数積算値、日付、時刻などのタイミング情報の末尾数（数値）を抽出する末尾数（数値）抽出機能、２３は末尾数（数値）抽出機能２２の抽出した前記アクセス回数積算値、前記日付、時刻などの例えば末尾数や、任意に設定された条件やタイミングにもとづく動作指示情報やタイミング情報や、手動により決定する動作指示情報やタイミング情報をトリガとして読み取るトリガ読み取り機能（トリガ読み取り手段）、２５は特殊クリックポイントＰＣＰをホームページへ埋め込むためのＰＣＰ埋込み機能（ＰＣＰ埋込み手段）、２６は前記トリガをもとにＰＣＰ配置パターンファイル１４を選択するための計算ロジック、２７は前記トリガをもとにホームページ上へ特殊クリックポイントＰＣＰをランダムに配置するためのランダム配置ロジック、３２は前記通常のホームページ情報ファイル、３３は前記ゲームエンジンである。
５１は特殊クリックポイントＰＣＰが埋め込まれていることを表すＰＣＰ埋め込み表示機能（ＰＣＰ埋め込み表示手段）、５２は特殊クリックポイントＰＣＰが埋め込まれたことを音声で通知し、クライアント側からの音声による動作指示を認識する音声通知認識機能（音声通知・認識手段）、５３は特殊クリックポイントＰＣＰおよび特殊クリックポイントにリンクするリンク先ホームページ情報ファイルを選択する各種情報選択機能（各種情報選択手段）、５４は特殊クリックポイントＰＣＰおよびリンク先ホームページ情報ファイルを検索して選択する各種情報検索機能（各種情報検索・選択手段）、５５は特殊クリックポイントＰＣＰに付与する得点を規定し、クライアント側で特殊クリックポイントＰＣＰをクリックした際に付与される得点を得点管理ファイル５５Ｆにより管理・精算する得点付与機能（得点付与精算手段）、５６はクライアント側が特殊クリックポイントＰＣＰをクリックした際の課金を規定し、課金管理ファイル５６Ｆにより管理する課金管理機能（課金管理手段）、５７は埋め込まれている特殊クリップポイントＰＣＰあるいは埋め込まれた特殊クリップポイントＰＣＰを消し無効にするための特殊クリップポイント無効処理機能（無効処理手段）、５８はバーコード読み取り機能（バーコード読み取り手段）である。
次に動作について説明する。
この実施の形態１のホームページ情報供給方法では、クライアント側から前記サーバ４へのアクセスに対しリンク先ホームページ情報を含むホームページのダウンロード要求があると、そのダウンロードの要求に際して異なった情報内容のホームページファイルを構成して応答する。また、前記ダウンロードの要求が行われるたびに通常形態の基本ホームページへ特殊クリックポイントＰＣＰを随所に埋め込み、ホームページのクリックポイントを含む構成内容が前記ダウンロード要求に際するたびに異なるようにして、前記ダウンロードを要求するクライアント側に意外性や新鮮味を提供する。
このため、トリガ読み取り機能２３が読み取ったトリガをもとに、前記ダウンロード要求に際してリンク先ホームページ情報を含む特殊クリックポイントＰＣＰをホームページに埋め込んだり、また埋め込む特殊クリックポイントＰＣＰの配置位置を変えたり、また埋め込み特殊クリックポイントＰＣＰの種類を変えたり、また、特殊クリックポイントＰＣＰと相互にリンクするリンク先ホームページ情報ファイルを変えたり、また埋め込み特殊クリックポイントやリンク先ホームページ情報の無効処理を行い、ダウンロード要求に際するたびにホームページ情報の異なったホームページファイルを構成し、前記ダウンロード要求、すなわちクライアント側からのリクエストに応答する。
また、前記トリガは任意のタイミングにおいて手動で決定され前記ダウンロード要求に際し応答される場合もある。
また、前記トリガは、クライアント側での例えば任意のタイミングにおけるクリックなどの動作指示により決定される場合もある。
なお、クライアント側からのダウンロード要求に際し、通常ホームページと変わらないホームページファイルで応答する場合もある。
次に、サーバ４の主処理部制御手段１１の動作について説明する。
第３図、第５図および第８図は、この実施の形態１のホームページ情報供給方法を実現するサーバ４の動作およびクライアント側の端末２の画面遷移を含む動作を説明するためのフローチャートである。このフローチャートによれば、最初サーバ４ではリンク先ホームページ情報を含むホームページのダウンロード要求待ちを行なっている（ステップＳＴ１）。前記ホームページのＵＲＬが指定されそのダウンロード要求があると、当該ダウンロード要求が「特殊クリックポイントＰＣＰを埋め込んだホームページのダウンロード要求」であるか、または「ダウンロード後にクライアント側で特殊クリックポイントＰＣＰをホームページへ埋め込む形態のダウンロード要求」であるかの判定を行う（ステップＳＴ２）。この判定は、例えば、アクセスカウンタ１５の出力するアクセス回数積算値、日付、時刻の末尾数の下一桁の数字が特定の数字であるときには「特殊クリックポイントＰＣＰを埋め込んだホームページのダウンロード」、前記特定の数字以外の数字であるときには「ダウンロード後にクライアント側で特殊クリックポイントＰＣＰをホームページへ埋め込む」というような判定条件をあらかじめ決めておくことで行うことが可能である。
なお、ステップＳＴ２の判定処理の代わりに、「特殊クリックポイントＰＣＰを埋め込んだホームページのダウンロード要求」、または「ダウンロード後にクライアント側で特殊クリックポイントＰＣＰをホームページへ埋め込む形態のダウンロード要求」のどちらであるかについてダウンロード要求の形態をサーバ側およびクライアント側で手動で選択する構成、またはサーバ側もしくはクライアント側で手動で選択する構成を採用することも可能である。
ここで第３図で説明したフローチャートのステップＳＴ２の判定処理において、ダウンロード要求が「ダウンロード後にクライアント側で特殊クリックポイントＰＣＰをホームページへ埋め込む形態のダウンロード要求」である場合の第８図に示す動作フローについて説明する。
第３４図は、ダウンロード要求が「ダウンロード後にクライアント側で特殊クリックポイントＰＣＰをホームページへ埋め込む形態のダウンロード要求」である場合のホームページ情報供給方法の動作を示す動作説明図であり、クライアントの端末２ではＰＣＰ埋め込みホームページ情報の作成をクライアント側で行うようサーバ４からＰＣＰ埋め込み機能をクライアント側にダウンロードする。また、第４５図はその際のシーケンス概要を示す説明図であり、▲３▼は受け取ったＰＣＰ埋め込み機能に従ってＰＣＰ埋め込み配置情報を決定、決定したＰＣＰ埋め込み配置情報に従って動的にＰＣＰ埋め込みＨＰを作成する。また、ＳＴ１９１はクライアントからサーバ４に対して要求を通知する。ＳＴ１９２はサーバ４ではＰＣＰ埋め込み機能をクライアントに引き渡す。
第３４図に示すホームページ情報供給方法では、クライアント側の端末２はサーバ４で管理しているホームページのＵＲＬに対し、インターネット１と経路制御装置３を介して前記ホームページのダウンロード要求を行う（ステップＳＴ１９１）。サーバ４は前記クライアントに対しダウンロード応答を行い、前記クライアントの前記ダウンロード要求に応じて、前記サーバ４が管理しているホームページの基本ホームページへ特殊クリックポイントＰＣＰを埋め込むための特殊クリックポイント埋め込み機能２５を含む各種ツールを前記クライアント側の端末２へ供給する（ステップＳＴ１９２）。
この場合、前記クライアント側では、所定の条件をもとに特殊クリックポイントを前記通常形態のホームページの基本ホームページの随所に埋め込み、前記特殊クリックポイントが埋め込まれた前記通常形態のホームページの特殊クリックポイント埋込みホームページ情報を作成する。ここでいう所定の条件とは、例えばアクセスカウンタ１５のアクセス回数積算値、日付、時刻などの例えば末尾数などをトリガとする動作指示情報やタイミング情報、あるいは、計算ロジック２６が関与するＰＣＰ配置パターンファイル１４の選択結果、あるいは、ランダム配置ロジック２７による特殊クリックポイントＰＣＰのランダムな埋め込み処理などの各種条件を指す。
さらに具体的に説明すると、ダウンロード後にクライアント側で特殊クリックポイントＰＣＰをホームページへ埋め込む形態のダウンロード要求があると、サーバ４はクライアント側の前記ダウンロード要求を発した端末２へ、アクセスカウンタ１５のアクセス回数積算値、トリガ読み取り機能２３、ＰＣＰ埋め込み機能２５、日付、時刻などの末尾数（数値）、計算ロジック２６、ランダム配置ロジック２７、ＰＣＰ無効処理手段５７、バーコード読み取り手段５８および主処理部制御手段１１などのファイル群と、通常ホームページ情報ファイル３２を含む各種ホームページファイルと、ＰＣＰ配置パターンファイル１４、ゲームエンジン３３を含む各種情報をダウンロードする。そして、クライアント側の前記端末２には、第１２図に示す通常ホームページ画面が表示される（第８図のステップＳＴ１１１）。この通常ホームページ画面に対しクライアント側で最初のクリックを行うと、前記ダウンロードされた主処理部制御手段１１が前記クライアント側の端末２において末尾数（数値）抽出機能２２により抽出された末尾数（数値）の判定を行う（ステップＳＴ１１２）。そして、前記判定結果に応じて「通常起動」または「条件下起動」を決める（第３図のステップＳＴ３）。この「通常起動」または「条件下起動」を決める判定条件は例えば第３図のステップＳＴ２と同様の条件とすることが出来る。
この結果、「通常起動」である場合には、第３図のステップＳＴ４で説明する第１２図に示す通常のホームページ画面を表示し、第３図のステップＳＴ４以降の各ステップによる第１３図から第１９図までの画面表示が可能になる。
一方、第８図のステップＳＴ１１２の判定結果が「条件下起動」である場合には、前記ステップＳＴ１１１における第１２図に示す「モノものタウン」のホームページトップ画面に対し、アクセスカウンタ１５のアクセス回数積算値、日付、時刻などの例えば末尾数をトリガにして選択されたＰＣＰ配置パターンファイル１４により特殊クリックポイントＰＣＰを埋め込み、あるいは、計算ロジック２６が関与して選択したＰＣＰ配置パターンファイル１４により特殊クリックポイントＰＣＰを埋め込み、あるいはまた、ランダム配置ロジック２７により特殊クリックポイントＰＣＰのランダム配置が実行された、特殊クリックポイントＰＣＰがランダムに埋め込まれている第２０図に示す画面を表示する。第２０図において、ＡはＰＣＰ、ＢはＰＣＰが埋め込まれていることを表す表示。Ｃはリンク先ホームページ情報の一例を示す。
この特殊クリックポイントＰＣＰの埋め込みや配置はクライアント側へ前記ダウンロードが行なわれた際にそのクライアント側で実行される。
ステップＳＴ１１２の判定結果が「条件下起動」であると、続いて第５図のステップＳＴ２１へ進み、前記第２０図に示す特殊クリックポイントＰＣＰが配置された「モノものタウン」トップ画面を表示する。
なお、前記第２０図に示す画面には特殊クリックポイントＰＣＰが埋め込まれていることを表す表示も示されている。
第８図のフローチャートに示すステップＳＴ１１２から第５図に示すフローチャートのステップＳＴ２１へ進んだ場合には、続くステップＳＴ２２以下の処理は第５図で説明するステップＳＴ２１以下の説明と同様である。
第９図は、ダウンロード後にクライアント側で特殊クリックポイントＰＣＰが埋め込まれているホームページを作成する場合のサーバ４からクライアント側の端末２へ送られる送受信データについての説明図、第１０図は、サーバ４からクライアント側の端末２へ特殊クリックポイントＰＣＰ埋め込み機能２５がダウンロードされることを示す説明図であり、ＷＷＷブラウザからＷＷＷサーバへダウンロードを要求し、このＷＷＷサーバから要求処理の解析と実行処理部へ要求引渡しを行い、この要求処理の解析と実行処理部からＷＷＷサーバへＨＰ及び各種ファイル渡しを行い、ＷＷＷサーバからＷＷＷブラウザへＨＰ及び各種ファイル等をダウンロードする。要求処理の解析と実行処理部は、処理手順として、
１．アクセスカウンタまたは日付・時刻から末尾数を抽出、
２．ＨＰ、格納ファイル、計算ロジックをＷＷＷサーバに渡す。
第１１図はダウンロード後にクライアント側で特殊クリックポイントを埋め込む場合の画面遷移図である。
第９図において、３５は商品情報、お知らせ情報などのファイルを示し、３６はキャラクタアイコンなどのデータを示し、３７はホームページアドレスや電話番号またはホームページのＵＲＬや認識番号（ＩＰアドレス）、ゲーム情報、クイズ情報、広告情報、ニュース、画像、動画像、映像、音楽情報などを含むリンク先ホームページ情報ファイルを示し、３３はゲームエンジンを示す。
一方、前記ステップＳＴ２の判定処理において、ダウンロード要求が「ダウンロード後にクライアント側で特殊クリックポイントＰＣＰをホームページに埋め込む形態」のダウンロード要求である場合において、トリガ読み取り機能２３のみを前記クライアント側の端末２へ供給する方法もある。
第３５図は、この場合のホームページ情報供給方法の動作を示す動作説明図である。また、第４６図は、その際のシーケンス概要を示す説明図であり、ＳＴ２０１は、クライアントからサーバ４に対して要求を通知する。ＳＴ２０２は、受け取ったリクエストによりサーバ４ではトリガ読取機能２３をクライアントに引き渡す。ＳＴ２０３は、クライアントではサーバ４からトリガ読取機能２３を受け取った後に例えばファーストクリックなどの動作指示を行なう。そして、クライアントの例えばファーストクリックなどの動作指示による要求をサーバ４に対して通知する。ＳＴ２０４は、ＰＣＰ埋め込み機能または決定したＰＣＰ埋め込み配置情報に従って動的に作成したＰＣＰ埋め込みＨＰをＳＴ２０１，ＳＴ２０３への応答として引き渡す。▲５▼ではＰＣＰ埋め込み機能の取得またはＰＣＰ埋め込み配置情報決定に従って動的にＰＣＰ埋め込みＨＰの作成を行なう。第３５図に示すホームページ情報供給方法では、クライアント側の端末２は、サーバ４で管理しているホームページのＵＲＬに対し、インターネット１と経路制御装置３を介して前記ホームページのダウンロード要求を行う（ステップＳＴ２０１）。前記ダウンロード要求を受けた前記サーバ４は、トリガ読み取り機能２３をダウンロード要求を発したクライアント側の端末２へ供給する（ステップＳＴ２０２）。トリガ読み取り機能２３の供給を受けたクライアント側が、例えば任意のタイミングにおけるクリックなどの動作指示を行い、特殊クリックポイント埋め込み機能２５のダウンロード要求を行う（ステップＳＴ２０３）。なお、この場合のクライアント側の要求が特殊クリックポイントＰＣＰが埋め込まれたホームページ情報のダウンロード要求であってもよい。これに対しサーバ４は、特殊クリックポイント埋め込み機能２５をクライアント側の端末２へ引き渡すか、特殊クリックポイントＰＣＰ埋め込み配置情報を決定し、前記特殊クリックポイントＰＣＰ埋め込み配置情報に従って動的に特殊クリックポイントＰＣＰ埋め込みホームページを作成し、そのホームページ情報を前記クライアント側の端末２へ引き渡す（ステップＳＴ２０４）。この場合、クライアント側の端末２は、１．トリガ読取機能が供給される。２．例えば、任意のタイミングによるクリックなどの動作指示によるダウンロード要求に対応してＰＣＰ埋め込み機能またはＰＣＰ埋め込みホームページ情報供給を受ける。また、サーバ４では、１．トリガ読取機能をクライアント側にダウンロードする。２．クライアント側の例えばファーストクリックなどの動作指示に対応して、ＰＣＰ埋め込み機能またはＰＣＰ埋め込みホームページ情報をクライアント側に供給する。
次に、第３図に戻り、ステップＳＴ２の判定の結果、「特殊クリックポイントＰＣＰを埋め込んだホームページのダウンロード要求」である場合について説明する。第３６図は、この発明の実施の形態１においてダウンロード要求が「特殊クリックポイントＰＣＰを埋め込んだホームページのダウンロード要求」である場合のホームページ情報供給方法の動作を示す動作説明図であり、サーバ４はＰＣＰ埋め込みＨＰ情報を生成し、リンク先ホームページ情報（コンテンツ）を含むＰＣＰ埋め込みＨＰ情報をクライアント側に供給する。
また、第４７図はその際のシーケンス概要を示す説明図であり、ＳＴ３０１は、クライアントからサーバ４に対して要求を通知する。ＳＴ３０２は、後記▲２▼で生成されたＨＰをＳＴ３０１の応答として通知する。▲２▼はＰＣＰ埋め込み配置情報決定（同一サーバ内リンク先決定）、上記配置情報に従って動的にＰＣＰ埋め込みホームページ情報を作成する。
この場合、クライアント側の端末２は、リンク先ホームページ情報（コンテンツ）を含むＰＣＰ埋め込みホームページ情報を受ける。また、サーバ４は、ＰＣＰ埋め込みＨＰ情報を生成、リンク先ホームページ情報（コンテンツ）を含むＰＣＰ埋め込みＨＰ情報をクライアント側に供給する。第４７図はクライアント側の端末２からサーバ４に対して要求を通知し、サーバ４で作成したＨＰをクライアント側の端末２へ応答する。
第３図に戻り、ステップＳＴ２に続いて「条件下起動」であるか、（通常形態のホームページ表示画面のみを表示）であるかの判定を行う（ステップＳＴ３）。この判定は、アクセスカウンタ１５の出力するアクセス回数積算値、日付、時刻の例えば末尾数の下一桁の数字が特定の数字であるときには「条件下起動」、前記特定の数字以外の数字であるときには「通常起動」というような判定条件をあらかじめ決めておくことで判定するものとする。
なお、ステップＳＴ３の判定処理の代わりに、「条件下起動」であるか「通常起動」であるかについて任意に設定された条件やタイミングにもとづく動作指示情報やタイミング情報をもとに、あるいはサーバ側で手動で選択する構成であってもよい。
前記ステップＳＴ３の判定の結果が「条件下起動」であると第５図に示すフローチャートへ進む。一方、「通常起動」である場合には、前記ダウンロード要求を行なったクライアント側の端末２へ通常のホームページファイル３２がダウンロードされる（ステップＳＴ４）。ここでは、ステップＳＴ２でその判定結果が「特殊クリックポイントＰＣＰを埋め込んだホームページのダウンロード要求」であり、またステップＳＴ３の判定結果は「通常起動」であり、クライアント側の端末２へダウンロードされた前記通常のホームページファイル３２によるホームページ画面の一例は第１２図に示されるものとなる。
クライアント側の端末２の画面へ表示された第１２図（リンク先ＨＰトップ画面）に示すホームページ画面は、一例として「モノものタウン」のホームページトップ画面である。このホームページトップ画面では、クライアント側が前記ホームページトップ画面の「総合案内」表示領域をクリックすると、第１３図に示す「総合案内」画面が表示される。また、「お知らせボード」表示領域をクリックすると、第１４図に示す「お知らせボード」画面を表示する。また、「ＸＸＸセレクション」表示領域をクリックすると、前記ステップＳＴ２の判定結果が特殊クリックポイントＰＣＰ埋め込み後クライアント側へダウンロードされる形態であって、さらに前記ステップＳＴ３の判定結果が「通常起動」であるため、第１５図に示す特殊クリックポイントＰＣＰが埋め込まれていない「ＸＸＸセレクション」トップ画面を表示する（ステップＳＴ６）。
一方、ステップＳＴ５の判定結果が「条件下起動」であれば第２１図に示す特殊クリックポイントＰＣＰが埋め込まれている「ＸＸＸセレクション」トップ画面を表示する。この場合の「ＸＸＸセレクション」表示領域がクリックされることで行われる「条件下起動」であるが「通常起動」であるかの判定は、前記ステップＳＴ３で説明した判定方法と同様、すなわち、アクセスカウンタ１５の出力するアクセス回数積算値、日付、時刻の例えば末尾数の下一桁の数字が特定の数字であるときには「条件下起動（第２１図へ）」、前記特定の数字以外の数字であるときには「通常起動（ＳＴ６へ）」というような判定条件をあらかじめ決めておくことで判定するものとする。
なお、クライアント側の端末２でこの「条件下起動」であるか「通常起動」であるかの判定を行うためにはサーバ４の主処理部制御手段１１や各種ファイルが前記クライアント側の端末２へダウンロードされていることが必要である。
そして、「通常起動」である場合に表示される第１５図に示す「ＸＸＸセレクション」トップ画面に対しクライアント側で「お知らせ」表示領域をクリックすると、第１６図に示す「ＸＸＸセレクションお知らせ」画面を表示する（ステップＳＴ７）。また、「掲示板」表示領域をクリックすると、第１７図に示す「掲示板」画面を表示する（ステップＳＴ８）。また、「商品一覧」表示領域をクリックすると、第１８図に示す「商品一覧」画面を表示する（ステップＳＴ９）。また、前記「商品一覧」画面において「商品注文」表示領域をクリックすると、第１９図に示す「商品注文」画面を表示する（ステップＳＴ１０）。そして、前記「商品注文」画面において「メール注文」または「ＦＡＸ注文」の何れかの選択をクライアント側へ促す「注文受付け」画面を表示する（ステップＳＴ１１）。
第４図は、第３図に示すステップＳＴ３の判定結果が「通常起動」である場合のステップＳＴ４，ステップＳＴ６，ステップＳＴ７，ステップＳＴ８，ステップＳＴ９，ステップＳＴ１０，ステップＳＴ１１の各処理による画面遷移図である。
次に、第３図のステップＳＴ２のダウンロード要求についての判定結果が「特殊クリックポイントＰＣＰを埋め込んだホームページのダウンロード要求」であり、続くステップＳＴ３の判定結果が「条件下起動」である場合のリンク先ホームページ情報を含むホームページ画面の表示、ホームページ情報の供給、およびそのホームページの構造について具体的に説明する。
第３図のステップＳＴ３の判定処理において「条件下起動」であると第５図に示すフローチャートへ移行する。すなわち、この場合には、第２０図に示す特殊クリックポイントＰＣＰが埋め込まれているリンク先ホームページの「モノものタウン」トップ画面のホームページトップ画面ファイルを含む各種ホームページ情報ファイルなどがサーバ４からクライアント側の端末２へダウンロードされ、第２０図に示す「モノものタウン」トップ画面が表示される（ステップＳＴ２１）。この第２０図において、ＡはＰＣＰ、ＢはＰＣＰが埋め込まれていることを表す表示、Ｃはリンク先ホームページ情報の一例である。
この第２０図に示す「モノものタウン」トップ画面は、通常のホームページ情報ファイルによるホームページ画面、すなわち、第１２図に示す「モノものタウン」のホームページトップ画面に対し、アクセスカウンタ１５のアクセス回数積算値、日付、時刻などの例えば末尾数をトリガにして、特殊クリックポイントＰＣＰの配置を決める複数のＰＣＰ配置パターンファイル１４の中から前記末尾数に対応したＰＣＰ配置パターンファイルを選択し、前記選択したＰＣＰ配置パターンファイルにより特殊クリックポイントＰＣＰを埋め込んだ末尾数対応ＰＣＰ埋込み画面である。
あるいは、第１２図に示す「モノものタウン」のホームページトップ画面に対し、計算ロジック２６が関与して選択したＰＣＰ配置パターンファイル１４により特殊クリックポイントＰＣＰが埋め込まれた計算ロジック関与ＰＣＰ埋込み画面である。あるいは、第１２図に示す「モノものタウン」のホームページトップ画面に対し、ランダム配置ロジック２７により特殊クリックポイントＰＣＰの配置がランダムに埋め込まれたランダムＰＣＰ埋込み画面である。
なお、この際において、前記末尾数対応ＰＣＰ埋込み画面、および前記計算ロジック関与ＰＣＰ埋込み画面では、ＰＣＰ配置パターンファイル１４を使用する場合のみリンク先ホームページ情報ファイルは固定的にあらかじめ決められたものであり、前記特殊クリックポイントＰＣＰにリンクする前記リンク先ホームページ情報ファイルは関連付けられており、また、前記埋め込まれるリンク先ホームページ情報ファイルにも特殊クリックポイントが関連付けられ埋め込まれている。但し、ＰＣＰ配置パターンファイルを使用する場合においても、ＰＣＰにリンクするリンク先ホームページ情報ファイルを固定的に決めておかずランダムに選択して関連させることもできる。また、ランダムＰＣＰ埋込み画面では、リンク先ホームページ情報ファイルについてもランダムに選択されており、前記ランダムに埋め込まれた特殊クリックポイントＰＣＰに、前記ランダムに選択されたリンク先ホームページ情報ファイルが関連付けられている。また、埋め込まれるリンク先ホームページ情報ファイルにも特殊クリックポイントが関連付けられ埋め込まれている。
なお、ここで、前記リンク先ホームページ情報ファイルには、別のリンク先ホームページ情報ファイルに関連付けられている別の特殊クリックポイントや通常のクリックポイントが含まれている場合がある。
ここで、第１２図に示す「モノものタウン」のホームページトップ画面に対する特殊クリックポイントＰＣＰの埋め込みについて第６図および第７図を参照して説明を行う。第６図は、第３図のフローチャートに示すステップＳＴ２の判定結果が「特殊クリックポイントＰＣＰを埋め込んだホームページのダウンロード要求」であって、ステップＳＴ３の判定結果が「条件下起動」である場合の通常のホームページファイルに対する特殊クリックポイントＰＣＰの埋め込みについての説明図である。
第１２図に示す「モノものタウン」のホームページトップ画面に対する特殊クリックポイントＰＣＰの埋め込みは、第６図に示すように、クライアント側からのダウンロード要求について、先ず、アクセスカウンタ１５のアクセス回数積算値、日付、時刻などの例えば末尾数を決定し、「条件下起動」の判定を実行し、前記末尾数（数値）をトリガにして通常のホームページへ埋め込む特殊クリックポイントＰＣＰのＰＣＰ配置パターンファイル１４やＰＣＰリンク先ホームページ情報ファイル１３を決定する。なお、特殊クリックポイントＰＣＰやＰＣＰリンク先ホームページ情報ファイルのランダム配置の場合には、計算ロジック２６、ランダム配置ロジック２７、各種情報選択手段、各種情報検索手段によりＰＣＰ配置ファイルを生成する。そして、前記決定したＰＣＰ配置パターンファイル、または前記生成したＰＣＰ配置ファイルによる特殊クリックポイント配置情報をもとにして特殊クリックポイントＰＣＰの配置を規定した特殊クリックポイントＰＣＰやリンク先ホームページ情報ファイルを通常のホームページファイル３２へ埋め込んだファイルを作成し、前記特殊クリックポイントＰＣＰやＰＣＰリンク先ホームページ情報ファイルなどのホームページ情報が前記トリガに応じて異なるように選択され配置され埋め込まれた「モノものタウン」のホームページトップ画面を含むホームページのファイルをクライアント側の端末２へダウンロードする。
この結果、クライアント側の端末２には特殊クリックポイントＰＣＰやリンク先ホームページ情報が配置された第２０図に示す画面が表示される。
なお、クライアント側の端末２において特殊クリックポイントＰＣＰが配置されたことを音声により通知する場合もある。
なお、「条件下起動」の実行は任意に設定された条件やタイミングにもとづく動作指示情報やタイミング情報により、あるいは任意のタイミングにおいて手動で行うことも出来る。第６図において、要求処理の解析と実行処理部では、ＷＷＷサーバから要求引渡しを受けると、次の処理手順を実行し作成ＨＰをＷＷＷサーバへ渡す。
１．アクセスカウンタ／日付・時刻から末尾数（数値）を決定し、条件下起動の判定を実施（条件下起動時以下を実施）する。
２．読み込んだアクセスカウンタ値によりＰＣＰパターンを決定する。ランダム配置の場合は、計算ロジックによりＰＣＰ配置情報ファイルを生成する。
３．決定したＰＣＰは位置ＨＰ情報を通常のホームページファイル３２へ埋め込んだファイルを作成する。
４．作成したファイルをＷＷＷサーバに渡す。
第５図に戻り、ステップＳＴ２１の次に前記ダウンロードにより表示された前記第２０図に示す画面に対しクライアント側で行われるクリックについて、「通常クリック」か「ＰＣＰクリック」かを判定する（ステップＳＴ２２）。「通常クリック」とは、領域や位置が視認でき、位置が変わったりして特殊クリックポイントＰＣＰが埋め込まれていることもない通常のクリック領域のクリックであり、前記クリックすることにより得られる動作の内容が明示されているクリックである。
また「ＰＣＰクリック」とは、位置、存在が視認できないクリック領域（ＢＰＣＰ，ブラインド特殊クリックポイント）に対するクリック、あるいは存在していることは視認できるがクリックした際に得られるメニューや動作（情報内容）について事前には確認できないクリック領域（ＵＰＣＰ，ユニーク特殊クリックポイント）に対するクリック、あるいは位置や存在は視認でき、かつクリックした際に得られるメニューや動作（情報内容）についても事前に確認できるが、付帯するゲームエンジンの働きにより動作結果が一定でないクリック領域（インタレスト特殊クリックポイントＩＰＣＰ）に対するクリック、あるいは位置や存在は視認でき、かつクリックした際に得られるメニューや動作（情報内容）についても事前に確認できるクリック領域であるが「条件下」でのみ随所に埋め込まれるクリックポイント（エキストラ特殊クリックポイントＥＰＣＰ）、あるいは視認できず埋め込まれたことが音声により通知されるクリックポイント（ボイス特殊クリックポイントＶＰＣＰ）に対するクリックや動作指示である。
ステップＳＴ２２の判定結果が「通常クリック」である場合、すなわちクライアント側で通常のクリック領域に対しクリックが行われると、第２０図に示す「モノものタウン」トップ画面に埋め込まれている特殊クリックポイントＰＣＰを消す。そして、前記クリックされた通常のクリック領域が「総合案内」についてのクリック領域であれば第１３図に示す画面を表示する。また、前記クリックされた通常のクリック領域がコンテンツ「ＸＸＸセレクション」であれば第２１図に示す「ＸＸＸセレクション」の画面を表示する（ステップＳＴ２３）。
この「ＸＸＸセレクション」のトップ画面には特殊クリックポイントＰＣＰが埋め込まれている場合があり、第２１図に示す「ＸＸＸセレクション」のトップ画面は、特殊クリックポイントＰＣＰが配置されている画面を示している。そして、この第２１図に示すトップ画面に対してもクライアント側が行なったクリックが「通常クリック」か「ＰＣＰクリック」かを判定する（ステップＳＴ２４）。そして、「通常クリック」であれば、ＰＣＰ無効処理機能５７が働いて、埋め込まれている特殊クリックポイントＰＣＰを消して、第２１図に示す特殊クリックポイントＰＣＰが埋め込まれている「ＸＸＸセレクション」のトップ画面に代えて、第１５図から第１９図までに示す特殊クリックポイントＰＣＰが埋め込まれていない通常の「ＸＸＸセレクション」の画面を表示する。
一方、ステップＳＴ２４における判定結果が「ＰＣＰクリック」であれば、そのＰＣＰクリックが“空”の特殊クリックポイントＰＣＰのクリックであるか、広告情報についての特殊クリックポイントＰＣＰであるか、さらには簡単なゲームについての特殊クリックポイントＰＣＰであるか、確変バナー広告ゲームについての特殊クリックポイントＰＣＰであるか、さらには懸賞クイズについての特殊クリックポイントＰＣＰであるかに応じて、“空”の特殊クリックポイントＰＣＰのクリックであればＰＣＰ埋め込み無効処理が働いて特殊クリックポイントＰＣＰを消した第３図に示す第１５図の「ＸＸＸセレクション」のトップ画面を表示する。
また、広告情報についての特殊クリックポイントＰＣＰのクリックであれば、第２２図に一例として示すような広告情報画面を表示する（ステップＳＴ２５）。また、簡単なゲームについての特殊クリックポイントＰＣＰのクリックであれば、第２３図に一例として示すような簡単ゲーム画面を表示する（ステップＳＴ２６）。また、確変バナー広告ゲームについての特殊クリックポイントＰＣＰのクリックであれば、確変バナー広告ゲーム画面を表示する（ステップＳＴ３１）。また、懸賞クイズについての特殊クリックポイントＰＣＰのクリックであれば、懸賞クイズ画面を表示する（ステップＳＴ３２）。第２３図に示す画面は、「“同じものを引き当てると当たり”であるカードゲーム」を示す。
一方、ステップＳＴ２２の判定結果が「ＰＣＰクリック」である場合、すなわちクライアント側で第２０図の「モノものタウン」トップ画面の特殊クリックポイントＰＣＰに対しクリックが行われると、そのＰＣＰクリックが“空”の特殊クリックポイントＰＣＰのクリックであるか、広告情報についての特殊クリックポイントＰＣＰであるか、簡単なゲームについての特殊クリックポイントＰＣＰであるか、確変バナー広告ゲームについての特殊クリックポイントＰＣＰであるか、さらには懸賞クイズについての特殊クリックポイントＰＣＰであるかに応じて、“空”の特殊クリックポイントＰＣＰのクリックであれば特殊クリックポイントＰＣＰを消した第３図のステップＳＴ４に示す第１２図の「モノものタウン」のホームページトップ画面を表示する。また、広告情報についての特殊クリックポイントＰＣＰのクリックであれば、第２２図に一例として示すような広告情報画面を表示する（ステップＳＴ２７）。また、簡単なゲームについての特殊クリックポイントＰＣＰのクリックであれば、第２３図に一例として示すような簡単ゲーム画面を表示する（ステップＳＴ２８）。また、確変バナー広告ゲームについての特殊クリックポイントＰＣＰのクリックであれば、確変バナー広告ゲーム画面を表示する（ステップＳＴ３５）。また、懸賞クイズについての特殊クリックポイントＰＣＰのクリックであれば、懸賞クイズ画面を表示する（ステップＳＴ３６）。ここで、前記確変ゲームは、インタレスト特殊クリックポイントＩＰＣＰに付帯してゲームエンジン３３とともに埋め込まれダウンロードされる。そして、この確変バナー広告ゲームは、例えば、分割された画面の絵柄がそれぞれ回転しており、ゲームエンジン３３であるロジックが関与して前記各画面の絵柄を選択し、その選択された結果が特定の組み合わせである場合に限り「当たり」、前記特定の組み合わせ以外の組み合わせである場合には「はずれ」とするゲームである。なお、この場合、前記ロジックが関与して「当たり」についての確率を変化させることが出来る。
この広告情報画面の表示後、または簡単ゲーム画面の表示後、または確変バナー広告ゲーム画面の表示後、または懸賞クイズ画面の表示後は、特殊クリックポイントＰＣＰを消した第３図のステップＳＴ４に示す第１２図の「モノものタウン」のホームページトップ画面を表示する。
第７図は、クライアント側の端末２へダウンロードされた、特殊クリックポイントＰＣＰやＰＣＰリンク先ホームページ情報ファイルなどのホームページ情報が埋め込まれている第２０図の「モノものタウン」のホームページトップ画面、および特殊クリックポイントＰＣＰやＰＣＰリンク先ホームページ情報ファイルなどのホームページ情報が埋め込まれている第２１図の「ＸＸＸセレクション」トップ画面がクリックされるとどの画面へ遷移するかを示す画面遷移図であり、第２１図において、Ａ，Ｂ，Ｃは第２０図に示したＡ，Ｂ，Ｃと同一のものを示す。また、第７図において、Ｄ１，Ｄ２は通常クリック、Ｅ１，Ｅ２はＰＣＰクリックを示す。
次に、特殊クリックポイントＰＣＰの位置をクライアント側からのアクセスによるダウンロード要求ごとに随所に変化させて配置させる第１の手法について説明する。この第１の手法は、複数の特殊クリックポイントＰＣＰが配置されている複数のＰＣＰ配置パターンがあらかじめファイルされており、各ＰＣＰ配置パターン中の特殊クリックポイントＰＣＰ位置は異なる個所に配置されている（同一位置に配置する場合は同一個所に配置される）。アクセスカウンタ１５の末尾数がトリガとなり前記末尾数にリンクしてＰＣＰ配置パターンの「１つが選択され、各特殊クリックポイントＰＣＰに割り当てられたメニュー（ファイル）とともに埋め込み先の通常のホームページへ埋め込まれるものである。例えば末尾数が３であれば３番目のＰＣＰ配置パターン、１であれば１番目のＰＣＰ配置パターンなどのように選択される。第２７図および第２８図はこの第１の手法を示す概念図である。また、第５６図は、この第１の手法のＰＣＰ配置情報決定プロセスの動作フローＳＴ４１〜ＳＴ４３を示す説明図であり、注１は抽出末尾数を下１桁とした場合である。
すなわち、特殊クリックポイントＰＣＰの配置されたＰＣＰ配置パターンをアクセスカウンタ１５のアクセス回数積算値、日付、時刻などの例えば末尾数に応じて一組決定する。このＰＣＰ配置パターンはあらかじめ用意されているＰＣＰ配置パターンファイル１４から決める。また、ここでいう一組とは特殊クリックポイントＰＣＰを配置する画面が、例えば「モノものトップ」画面と「ＸＸＸセレクショントップ」画面の２画面であれば２画面分で一組とする。
なお、任意に設定された条件やタイミングにもとづく動作指示情報やタイミング情報のもとに、あるいは任意のタイミングにおいて手動でＰＣＰ配置パターンを決定することも出来る。
次に、第２の手法について説明する。
末尾数（数値）抽出機能２２によりアクセスカウンタ１５のアクセス回数積算値、日付、時刻などの末尾数（数値）を抽出し、この抽出した末尾数（数値）を“ｎ”とする。そして、ランダム数から整数ｉを求める。この整数ｉの算出は、例えば乱数生成手段によりランダム数（一様乱数）を発生させ、この発生ランダム数を“ｒ”（０≦ｒ＜１）とするとき、
０．０≦ｒ＜０．１→ｉ＝０
０．１≦ｒ＜０．２→ｉ＝１
０．２≦ｒ＜０．３→ｉ＝２
・
０．８≦ｒ＜０．９→ｉ＝８
０．９≦ｒ＜１．０→ｉ＝９
なる規則で整数ｉを算出する。
なお、整数が０から９の場合には０．０５間隔とし、整数が２桁（０から９９）の場合には０．０１間隔とする。
次に、この第２の手法において前記末尾数（数値）から計算ロジック２６が関与してＰＣＰ配置パターンを選択して構成する計算ロジック関与ＰＣＰ埋込み画面について記述する。
この第２の手法は、アクセスカウンタ１５のアクセス回数積算値、日付、時刻などの例えば末尾数がトリガとなり計算ロジック２６が起動しアルゴリズムが関与してＰＣＰ配置パターンを選択し、埋め込み先の通常のホームページへ特殊クリックポイントＰＣＰを埋め込むものであり、第２９図はこの第２の手法を示す概念図である。
また、第５７図はこの第２の手法のＰＣＰ配置情報決定プロセスの動作フローＳＴ５１〜ＳＴ５６を示す説明図であり、注１は末尾数を下１桁とした場合、注２は１０パターンを用意した場合である。
なお、任意に設定された条件やタイミングにもとづく動作指示情報やタイミング情報をもとに、あるいは任意のタイミングにおいて手動によりトリガを決定することも可能である。
すなわち、先ず、特殊クリックポイントＰＣＰの配置されたＰＣＰ配置パターンを複数組定める。そして、これらの組ごとにＰＣＰ配置パターン番号を付与する。例えば、１０組のＰＣＰ配置パターンを定め、０から９のパターン番号を各ＰＣＰ配置パターンに付与する。そして、前記抽出した末尾数を“ｎ”とし、さらにランダム数から整数ｉを算出する。そして、前記抽出した末尾数“ｎ”が前記算出した整数ｉと等しい場合に「条件下起動」とし、また、さらにランダム数から整数“ｊ”を算出し、前記整数“ｊ”をパターン番号とするＰＣＰ配置パターンの組を選択する。さらに特殊クリックポイントＰＣＰ配置パターンを配置する画面数分、以上の処理を繰り返す。
また、前記抽出した末尾数“ｎ”が前記算出した整数ｉと等しくない場合には、「通常起動」であってＰＣＰ配置パターンは埋め込まない。
次に、前記抽出した末尾数からランダム配置ロジック２７が関与してランダムに特殊クリックポイントＰＣＰを同一位置を含む随所に配置し、かつ、リンク先のファイルもランダムに選択するランダムＰＣＰ埋込み配置情報を構成する第３の手法について説明する。
この第３の手法は、アクセスカウンタ１５のアクセス回数積算値、日付、時刻などの例えば末尾数がトリガとなり、ランダム配置ロジック２７が関与して埋め込み先の通常のホームページへランダムに特殊クリックポイントＰＣＰを埋め込み、かつリンク先ホームページ情報ファイルもランダムに選択して埋め込むものであり、第３０図はこの第３の手法を示す概念図である。
また、第５８図は、この第３の手法のＰＣＰ配置情報決定プロセスの動作フローＳＴ６１〜ＳＴ６８を示す説明図であり、注１は末尾数を下１桁とした場合、注２はセル分割を１０×１０の１００セルとした場合、注３はＰＣＰリンク先ファイル数を１０とした場合である。
なお、任意に設定された条件やタイミングにもとづく動作指示情報やタイミング情報をもとに、あるいは任意のタイミングにおいて手動によりトリガを決定し、このトリガを用いることも出来る。
なお、前記アクセスカウンタ１５のアクセス回数積算値、日付、時刻などの例えば末尾数や、任意に設定された条件やタイミングにもとづく動作指示情報やタイミング情報あるいは任意のタイミングにおいて手動による動作指示情報やタイミング情報により、トリガを決定し、このトリガを用いて検索ロジックを関与させ前記ホームページの随所に埋め込む特殊クリックポイントやリンク先ホームページ情報を検索して選択することも出来る。
すなわち、先ず、特殊クリックポイントＰＣＰの埋め込み先のホームページ画面について行方向を整数ｋに分割し、また、列方向について整数ｍに分割し、前記埋め込み先のホームページ画面をｋ（行番号）×ｍ（列番号）のセルに分割し、各セルを（ｋ，ｍ）で表す。そして、前記ｋ×ｍ個のセルからランダムに複数個のセルを選択し、前記選択したセルに特殊クリックポイントＰＣＰを配置する。
次に、リンク先ホームページ情報ファイルを複数用意してランダムに選択する（複数用意するリンク先ホームページ情報ファイルにはリンク先ファイル番号を付与する）。そして、前記抽出した末尾数を“ｎ”とし、さらにランダム数ｉを算出する。そして、前記抽出した末尾数“ｎ”が前記算出した整数ｉと等しい場合に「条件下起動」とし、また、ランダム数より整数ｋ，ｍを求め埋め込み先セル（ｋ，ｍ）を決定し、さらにランダム数より整数ｆを求め、その整数ｆをリンク先ホームページ情報ファイル番号とし、リンク先ホームページ情報ファイルを選択する。
以下、配置する特殊クリックポイントＰＣＰの数だけセルの選択と特殊クリックポイントＰＣＰの配置、リンク先ホームページ情報ファイルの選択を繰り返し、ランダム配置のＰＣＰ配置情報を生成する。そして、特殊クリックポイントＰＣＰを配置する画面数分、以上の処理を繰り返す。また、前記抽出した末尾数“ｎ”が前記算出した整数ｉと等しくない場合には、「通常起動」であってＰＣＰは埋め込まない。
次に、ＰＣＰ配置ファイルの構成について説明する。
ＰＣＰ配置ファイルは、埋め込み位置情報とグラフィックファイル名とジャンプ先リンク情報の３要素からなる。第２４図は特殊クリックポイントＰＣＰの埋め込み先のホームページをセル分割し、ｋは行番号、ｍは列番号で表す埋め込み位置情報を示す説明図であり、ｋ行ｍ列のセルをセル（ｋ，ｍ）と表現する。
また、グラフィックファイル名については、例えば、セル（ｉ，ｊ）に対応するＰＣＰグラフィックファイル名を“Ｇｒａｐｈ＿ｉｊ．ｊｐｇ”と表すと第２５図に示すような関係となる。すなわち、“Ｇｒａｐｈ＿ｉｊ．ｊｐｇ”は、埋め込み先ホームページの対応するセル（ｉ，ｊ）の背景色と同色、同サイズのＢＰＣＰ（位置、存在が視認できないクリック領域、ブラインド特殊クリックポイント）グラフィックファイルのファイル名であり、“Ｇｒａｐｈ＿ｉｍ．ｊｐｇ”は、埋め込み先ホームページの対応するセル（ｉ，ｍ）に、同サイズ視認可能な抽象的図形（例えば☆、＄）が配置されているユニーク特殊クリックポイントＵＰＣＰ（存在していることは確認できるがクリックした際に得られるメニューや動作について事前には確認できないクリック領域）、グラフィックファイルのファイル名であり、前記インタレスト特殊クリックポイントＩＰＣＰ、エキストラ特殊クリックポイントＥＰＣＰのグラフィックファイルのファイル名についても同様に求めることが出来る。
また、ジャンプ先リンク情報は、埋め込まれた特殊クリックポイントＰＣＰをクリックしたときのジャンプ先または移動先を示すリンク情報（リンク先ホームページ情報ファイル）であり、これらのファイルもランダムに選択する。例えば、セル（ｉ，ｊ）をクリックしたときに表示する画面を“モノもの＿ｉｊ．ｈｔｍｌ”とすると、この“モノもの＿ｉｊ．ｈｔｍｌ”がリンク先情報となる。第２６図は、セル（ｉ，ｊ）およびセル（ｉ，ｍ）の２つのセルに特殊クリックポイントＰＣＰが埋め込まれている場合のＰＣＰ配置ファイルの構成例を示す。
なお、前記特殊クリックポイントにリンクするリンク先ホームページ情報ファイルは前記アクセスカウンタ１５のアクセス回数積算値、日付、時刻などの例えば末尾数や、任意に設定された条件やタイミングにもとづく動作指示情報やタイミング情報あるいは任意のタイミングにおいて手動によりトリガを決定し、このトリガを用いてリンク先ファイル検索ロジックを関与させ、前記配置が規定された特殊クリックポイントにリンクさせるリンク先ホームページ情報ファイルとして検索して選択する。
また、後述する実施の形態２、実施の形態３においてリンク先ホームページやリンク先ホームページのホームページ情報ファイル、あるいはリンク先のホームページやリンク先のホームページのホームページ情報ファイルを特殊クリックポイントにリンクするリンク先ホームページ情報として選択する場合も同様の手法を用いる。
なお、実施の形態１、実施の形態２、実施の形態３、実施の形態４において前記ダウンロード応答後でも回線が接続された状態のクライアント側に対して、特殊クリックポイント、リンク先のホームページ情報が追加的に繰り返し供給される場合があり、その際にも前記アクセスカウンタ１５のアクセス回数精算値、日付・時刻などの例えば末尾数や、任意に設定された条件やタイミングにもとづく動作指示情報やタイミング情報、あるいは任意のタイミングにおける手動によるトリガをもとに、前記第１の手法、あるいは第２の手法、あるいは前記ＰＣＰ配置ファイルの構成を含む第３の手法を用いて特殊クリックポイント配置情報を生成し、前記生成した特殊クリックポイント配置情報をもとに特殊クリックポイント埋め込みホームページ情報を新たに作成してクライアント側に供給する。
また、ここで実施の形態１、実施の形態２、実施の形態３、実施の形態４において特殊クリックポイント埋め込みホームページ情報に埋め込まれているリンク先のホームページ情報や特殊クリックポイントが取り消され無効処理をされる場合があり、その際にも前記アクセスカウンタ１５のアクセス回数精算値、日付、時刻などの例えば未尾数や、任意に設定された条件やタイミングにもとづく動作指示情報やタイミング情報、あるいは任意のタイミングにおける手動によるトリガをもとに、特殊クリックポイント無効処理５７を用いて前記リンク先のホームページ情報や前記特殊クリックポイントの無効処理を行なう。
第３１図は、（ｂ）に示す前記ＢＰＣＰ（ブラインド特殊クリックポイント）グラフィックファイル、前記ユニーク特殊クリックポイントＵＰＣＰ（ＰＣＰを含むリンク先ホームページ情報）と、前記インタレスト特殊クリックポイントＩＰＣＰ（確変ゲーム）及び前記エキストラ特殊クリックポイントＥＰＣＰのグラフィックファイルを、（ｃ）に示すようにＢＰＣＰは同一背景色にした後、この（ｃ）を（ａ）に示す通常のクリックポイントＣＰを有する基本のホームページ２０１へ重ねるもので、（ｄ）はこの重ねたときのブラインド状態図、（ｅ）はその抽象的図形図、（ｆ）は具象的図形等ＰＣＰやリンク先ホームページ情報の埋め込み状態を示す説明図である。つまり、特殊クリックポイントＰＣＰが基本ホームページ２０１に上書きされる形態で埋め込まれることを示す概念図であり、２０２はＰＣＰを含むリング先ホームページ情報である。
この第３１図において、点線四角はＢＰＣＰを表し、同一色のため視認できない（実際は点線四角は無い）、＄、★は視認できる。Ｅｘｔｒａは視認できる。また、第３１図は位置、存在が視認できないクリック領域（ブラインド特殊クリックポイントＢＰＣＰ）、存在していることは視認できるがクリックした際に得られるメニューや動作（情報内容）について事前には確認できないクリック領域（ユニーク特殊クリックポイントＵＰＣＰ）、前記インタレスト特殊クリックポイントＩＰＣＰ、前記エキストラ特殊クリックポイントＥＰＣＰなどの特殊クリックポイントＰＣＰとともに埋め込まれるファイルの関係を示す概念図である。
第３２図は、特殊クリックポイントＰＣＰとともに埋め込まれるファイル（メニュー）の関連を示す説明図であり、１１１はＰＣＰ付きＴＯＰＨＰ、１１２はＢＰＣＰクリック時の表示ファイル、１１３は通常のリンク先ホームページ情報、１１４はＰＣＰ付きｘｘｘセレクション、１１５はＵＰＣＰクリック時の表示ファイル、１１６はＥＰＣＰクリック時の表示ファイル、１１７はＩＰＣＰクリック時の表示ファイル、１１８はＢＰＣＰクリック時の表示ファイル、１１９はＵＰＣＰクリック時の表示ファイル、５７は、通常クリックポイントをクリックしたときに特殊クリックポイントＰＣＰを消し無効にするための特殊クリックポイントＰＣＰ無効処理手段である。
第３３図は、ダウンロード後でも特殊クリックポイントＰＣＰが埋め込まれたホームページファイルを作成することを示す説明図である。なお、第３３図において、第３２図と同一部分には同一符号を付して重複説明を省略する。
以上のように、この実施の形態１によれば、クライアント側では通常のホームページファイルが提供されるだけでなく、所定の条件下において前記通常形態のホームページに特殊クリックポイントＰＣＰやリンク先ホームページ情報が埋め込まれたホームページファイルが提供されるため、必ずしも同一内容のホームページがクライアント側に提供されることにはならず、ホームページへアクセスするクライアント側に対し、常に意外性や新鮮な感覚を与え、興味を喚起できるホームページ情報供給方法および装置が得られる効果がある。
また、視認できない前記ブラインド特殊クリックポイントＢＰＣＰ、存在していることは視認できるがクリックした際に得られるメニューや動作について事前に確認できない前記ユニーク特殊クリックポイントＵＰＣＰ、前記インタレスト特殊クリックポイントＩＰＣＰ、前記エキストラ特殊クリックポイントＥＰＣＰ、前記ボイス特殊クリックポイントＶＰＣＰが付加されたホームページがクライアント側に提供されることになり、さらに前記ブラインド特殊クリックポイントＢＰＣＰ、ユニーク特殊クリックポイントＵＰＣＰ、インタレスト特殊クリップポイントＩＰＣＰ、エキストラ特殊クリックポイントＥＰＣＰは位置、内容や、形状や、選択される特殊クリックポイントの種類がアクセスのたびにランダムに変化することになるため、ホームページへアクセスするクライアント側に対し常に意外性や新鮮な感覚を与え、興味を喚起できるホームページ情報供給方法および装置が得られる効果がある。
実施の形態２．
次に、この実施の形態２のホームページ情報供給方法および装置について説明する。以下に説明するホームページ情報供給方法では、クライアント側はダウンロード要求をホームページサーバ４（以下、サーバ４という）へ行う。また、第１図、第２図の構成はこの実施の形態２にも適用される。
この実施の形態２のホームページ情報供給方法では、クライアント側から前記サーバ４に対しそのサーバ４が管理するＵＲＬのホームページやそのホームページとリンクするリンク先のホームページ、リンク先ホームページを含むホームページのダウンロード要求があると、そのダウンロード要求に際して異なった情報内容のホームページファイルを構成して応答する。また、サーバ４では、前記ダウンロード要求が行われるたびに通常形態の基本ホームページへ特殊クリックポイントＰＣＰやリンク先ホームページ情報を随所に配置して埋め込み、ホームページのクリックポイントを含む構成内容が前記ダウンロード要求に際して異なるようにして、前記サーバ４にアクセスしダウンロードを要求するクライアント側に意外性や新鮮味を提供する。
このため前記サーバ４のトリガ読み取り機能２３が読み取った前記トリガをもとに、前記ダウンロード要求に際してリンク先のホームページあるいはリンク先ホームページを含むホームページにおける特殊クリックポイントＰＣＰの配置情報を変え、また特殊クリックポイントＰＣＰにリンクするリンク先ホームページ情報ファイルを変え、ダウンロード要求に際してホームページ情報の異なったホームページファイルを構成し、前記クライアント側からのダウンロード要求に応答する。また、前記トリガは任意のタイミングにおいて手動で決定され、前記ダウンロード要求に対し応答される場合もある。なお、クライアント側からのダウンロード要求に対し、通常ホームページと変わらないホームページファイルで応答する場合もある。
また、前記ダウンロード応答後でも回線が接続された状態のクライアント側に対し、特殊クリックポイントやリンク先ホームページ情報ファイルが追加的に供給される場合があり、その際にも前記トリガをもとに特殊クリックポイント配置情報を生成して、新たな特殊クリックポイント埋め込みホームページ情報をクライアント側に供給する。
第３７図、第３８図、第３９図は、ホームページのダウンロード要求がクライアント側からサーバ４へ行われたときの動作説明図であり、第４８図、第４９図、第５０図はその際のシーケンス概要を示す説明図である。
第４８図において、ＳＴ４０１は、クライアントからサーバ４に対して要求を通知する。ＳＴ４０２は、後記▲２▼にて生成されたＨＰをＳＴ４０１の応答として通知する。▲２▼はＰＣＰ埋め込み配置情報の決定（他サーバのリンク先を決定）、上記配置情報に従って動的にＨＰを作成する。
第４９図において、ＳＴ５０１は、クライアントからサーバ４に対して要求を通知する。ＳＴ５０２は、後記▲２▼にて決定したＰＣＰ埋め込み配置情報をリンク先のホームページサーバ１０８あるいは１０６へ通知する。ＳＴ５０３は、サーバ１０８あるいは１０６で作成したＨＰをサーバ４へ引き渡す。ＳＴ５０４は、サーバ４ではサーバ１０８あるいは１０６から受け取ったＨＰをクライアントからの要求への応答として通知する。▲２▼はＰＣＰ埋め込み配置情報の決定、▲４▼は受け取った配置情報に従って動的にＨＰを作成する。
第５０図において、ＳＴ６０１は、クライアントからサーバ４に対して要求を通知する。ＳＴ６０２は、サーバ４では取得したＰＣＰ埋め込み機能をリンク先のホームページサーバ１０８あるいは１０６へ渡す。ＳＴ６０３は、サーバ１０８あるいは１０６で作成したＨＰをサーバ４へ引き渡す。ＳＴ６０４は、サーバ４ではサーバ１０８あるいは１０６から受け取ったＨＰをクライアントからの要求への応答として通知する。▲２▼は取得したＰＣＰ埋め込み機能をリンク先のホームページ（ＰＣ）サーバ１０８あるいはリンク先のホームページ（ＰＣ）サーバ１０６へ渡す。▲４▼は受け取ったＰＣＰ埋め込み機能に従ってＰＣＰ埋め込み配置情報を決定、決定したＰＣＰ埋め込み配置情報に従って動的にＨＰを作成する。
サーバ４から前記クライアント側へ特殊クリックポイントＰＣＰを埋め込んだホームページ情報あるいはリンク先のホームページサイトのホームページ情報、あるいはリンク先ホームページサイトのホームページ情報がダウンロードされる。この場合、クライアント側の端末２では、リンク先のホームページあるいはリンク先ホームページのホームページ情報（コンテンツ）を含むＰＣＰ埋め込みホームページ情報を受ける。
第４０図も、サーバ４にクライアント側からダウンロード要求が行われたときの動作説明図であるが、リンク先のホームページサイトのサーバまたはリンク先ホームページサイトのサーバから直接、前記クライアント側へ特殊クリックポイントＰＣＰを埋め込んだリンク先のホームページサイトのホームページ情報あるいはリンク先ホームページサイトのホームページ情報がダウンロードされる。
なお、この場合、リセット処理が行われる必要がある。第５１図はその際のシーケンス概要を示す説明図であり、ＳＴ７０１は、クライアントからサーバ４に対して要求を通知する。ＳＴ７０２は、サーバ４では取得したＰＣＰ埋め込み機能をリンク先のホームページサーバ１０８あるいは１０６に渡す。ＳＴ７０３は、サーバ４はクライアント側との切断処理を行なう。ＳＴ７０４は、サーバ１０８あるいは１０６で作成したＨＰをクライアントに直接引き渡す。▲２▼はサーバ４内のＰＣＰ埋め込み機能を取得、▲５▼は受け取ったＰＣＰ埋め込み機能に従ってＰＣＰ埋め込み配置情報を決定、決定したＰＣＰ埋め込み配置情報に従って動的にＨＰを作成する。
すなわち、第３７図に示すホームページ情報供給方法では、クライアント側はホームページのＵＲＬを確保しているサーバ４に対し、インターネット１と経路制御装置３を介して前記ホームページのダウンロード要求を行う。この場合、前記ダウンロード要求される前記ホームページはサーバ４が確保しているＵＲＬのホームページ、そのホームページにリンクしたリンク先ホームページサイトのホームページを含む。クライアント側からのダウンロード要求に対しサーバ４はダウンロード応答を行い、前記ダウンロード要求にかかるホームページがサーバ４からダウンロード要求を行なったクライアント側へ送られる。
また、前記サーバ４が確保しているＵＲＬのホームページにリンクしたリンク先ホームページサイトのホームページに対しクライアント側からそのホームページ情報のダウンロード要求が行われると、サーバ４はリンク先のホームページサイトのホームページのＵＲＬを確保しているリンク先のホームページサイトのサーバ１０８へリンク先のホームページサイトのホームページ情報を、あるいはリンク先ホームページサイトのサーバ１０６へリンク先ホームページサイトのホームページ情報の要求を行う。前記リンク先のホームページサイトのサーバ１０８あるいはリンク先ホームページサイトのサーバ１０６は、要求されたホームページ情報（ファイル）をサーバ４へ供給する。
サーバ４は、前記クライアントのダウンロード要求に際してＰＣＰ埋め込み機能２５により前記サーバ４が管理するホームページに埋め込まれ配置が規定された特殊クリックポイントに、前記供給されたリンク先のホームページサイトのホームページ情報ファイルあるいはリンク先ホームページサイトのホームページ情報ファイルをリンクさせた特殊クリックポイント埋め込みホームページ情報がサーバ４において完成され、ダウンロード要求を行なったクライアント側に応答供給される。
なお、サーバ４が管理しているホームページに埋め込む特殊クリックポイントにリンクするリンク先ホームページ情報ファイルはリンク先のホームページサイトのサーバ１０８、あるいはリンク先ホームページサイトのサーバ１０６からのみに限らず、サーバ４が確保しているＵＲＬのホームページ、そのホームページにリンクしたリンク先サイトのホームページ情報ファイルを含むものとする。なお、後述する実施の形態２、実施の形態３におけるリンク先ホームページ情報ファイルの供給においても同様である。
サーバ４は、前記リンク先ホームページサイトのサーバ１０６、あるいはリンク先のホームページサイトのサーバ１０８から供給されたリンク先サイトあるいはリンク先のサイトのホームページ情報ファイルをサーバ４が管理するホームページの基本ホームページに対し、ＰＣＰ埋込み機能２５により特殊クリックポイントをランダムに埋め込む。そして、前記ランダムに埋め込まれた特殊クリックポイントにリンク先ホームページ情報をリンクさせた特殊クリックポイント埋め込みホームページ情報が前記サーバ４において完成される。前記サーバ４において完成されたリンク先ホームページ情報を含む特殊クリックポイント埋め込みホームページ情報や、特殊クリックポイントを含むリンク先ホームページ情報埋め込みホームページ情報はクライアント側に供給される。
第３８図に示すホームページ情報供給方法でも、クライアント側はホームページのＵＲＬを確保しているサーバ４に対し、インターネット１と経路制御装置３を介して前記ホームページのダウンロード要求を行う。この場合、前記ダウンロード要求される前記ホームページはサーバ４が確保しているＵＲＬのホームページ、そのホームページにリンクしたリンク先ホームページサイトのホームページを含む。クライアント側からのダウンロード要求に対しサーバ４はダウンロード応答を行い、前記ダウンロード要求にかかるホームページがサーバ４が確保しているＵＲＬのホームページであるときには、そのホームページ情報をサーバ４から前記ダウンロード要求を行なったクライアント側へ送る。
また、前記サーバ４が確保しているＵＲＬのホームページにリンクしたリンク先ホームページサイトのホームページについてクライアント側からダウンロード要求が行われると、サーバ４は当該リンク先ホームページサイトのＵＲＬを確保しているリンク先ホームページサイトのサーバ１０６、リンク先のホームページサイトのサーバ１０８に対し特殊クリックポイント配置情報を送る。この特殊クリックポイント配置情報は、前記実施の形態１で詳しく説明した動作指示情報やタイミング情報に応じて生成された特殊クリックポイント配置情報としてリンク先のホームページサイトのサーバ１０８、リンク先ホームページサイトのサーバ１０６へ送られる。リンク先ホームページサイトのサーバ１０６、リンク先のホームページサイトのサーバ１０８では、前記クライアント側がダウンロード要求したリンク先ホームページサイト、リンク先のホームページサイトの基本ホームページに対し、前記サーバ４から供給された特殊クリックポイント配置情報をもとにランダムに特殊クリックポイントを埋め込み、その特殊クリックポイントがリンク先ホームページサイト、リンク先のホームページサイトの基本ホームページにランダムに埋め込まれた特殊クリックポイント配置形態の特殊クリックポイント埋込みリンク先ホームページサイトのホームページ情報あるいはリンク先のホームページサイトのホームページ情報が前記サーバ４へ供給される。サーバ４は前記クライアント側からの前記ダウンロード要求に対しダウンロード応答を行い、前記特殊クリックポイント埋込みホームページ情報をクライアント側に供給する。
第３９図に示すホームページ情報供給方法でも、クライアント側はホームページのＵＲＬを確保しているサーバ４に対し、インターネット１と経路制御装置３を介して前記ホームページのダウンロード要求を行う。この場合、前記ダウンロード要求される前記ホームページはサーバ４が確保しているＵＲＬのホームページ、そのホームページにリンクしたリンク先ホームページサイトのホームページを含む。クライアント側からのダウンロード要求に対し前記ダウンロード要求にかかるホームページがサーバ４が確保しているＵＲＬのホームページであるときには、サーバ４はダウンロード応答を行い、そのホームページ情報がサーバ４から前記ダウンロード要求を行なったクライアント側へ送られる。
また、前記サーバ４が確保しているＵＲＬのホームページにリンクしたリンク先ホームページサイトのホームページについてクライアント側からダウンロード要求が行われると、サーバ４は前記リンク先のホームページサイトのＵＲＬを確保しているリンク先のホームページサイトのサーバ１０８、リンク先ホームページサイトのサーバ１０６に対し前記第２図で説明した特殊クリックポイント埋込み機能２５を前記リンク先のホームページサイトのサーバ１０８、リンク先ホームページサイトのサーバ１０６へ送る。
リンク先のホームページサイトのサーバ１０８、リンク先ホームページサイトのサーバ１０６では、前記クライアント側がダウンロード要求したリンク先ホームページサイトの基本ホームページあるいはリンク先のホームページサイトの基本ホームページに対し、前記特殊クリックポイント埋込み機能２５によりランダムに特殊クリックポイントを埋め込み、その特殊クリックポイントがランダムに埋め込まれた特殊クリックポイント配置形態の特殊クリックポイント埋め込みリンク先のホームページサイトのホームページ情報あるいは特殊クリックポイント埋め込みリンク先ホームページサイトのホームページ情報を前記サーバ４へ供給する。サーバ４は前記クライアント側からの前記ダウンロード要求に対しダウンロード応答を行い、前記特殊クリックポイント埋込みホームページ情報をクライアント側に供給する。
第４０図に示すホームページ情報供給方法でも、クライアント側はホームページのＵＲＬを確保しているサーバ４に対し、インターネット１と経路制御装置３を介して前記ホームページのダウンロード要求を行う。この場合、前記ダウンロード要求される前記ホームページはサーバ４が確保しているＵＲＬのホームページ、そのホームページにリンクしたリンク先ホームページサイトのホームページを含む。
前記サーバ４が確保しているＵＲＬのホームページにリンクしたリンク先ホームページサイトのホームページについてクライアント側からダウンロード要求が行われると、サーバ４はリンク先ホームページのＵＲＬを確保しているリンク先のホームページサイトのサーバ１０８、リンク先ホームページサイトのサーバ１０６に対し前記実施の形態１で詳しく説明した特殊クリックポイント埋込み機能２５を前記リンク先のホームページサイトのサーバ１０８、リンク先ホームページサイトのサーバ１０６へ送る。
前記リンク先ホームページサイトのサーバ１０６、リンク先のホームページサイトのサーバ１０８では、前記クライアント側がダウンロード要求したリンク先ホームページサイトの基本ホームページあるいはリンク先のホームページサイトの基本ホームページに対し、前記特殊クリックポイント埋込み機能２５によりランダムに特殊クリックポイントを埋め込み、その特殊クリックポイントがランダムに埋め込まれた特殊クリックポイント配置形態の特殊クリックポイント埋込みホームページ情報を、前記クライアント側へ直接、ダウンロード応答を行なって供給する。
この場合、前記クライアント側との接続においてリンク先のホームページサイトのサーバ１０８側あるいはリンク先ホームページサイトのサーバ１０６側においてリセット操作を行う必要がある。
従って、この実施の形態２によれば、サーバ４に対するダウンロード要求によりリンク先ホームページサイトのホームページへアクセスするクライアントに対し提供される前記リンク先ホームページサイトのホームページの内容について、常に新鮮な感覚を与え興味を喚起できるホームページ情報供給方法および装置が得られる効果がある。
実施の形態３．
次に、この実施の形態３のホームページ情報供給方法について説明する。以下に説明するホームページ情報供給方法では、クライアント側はダウンロード要求をリンク先ホームページサイトのサーバ１０６またはリンク先のホームページサイトのサーバ１０８へ行う。また、第１図、第２図の構成はこの実施の形態３にも適用される。
この実施の形態３のホームページ情報供給方法では、クライアント側から前記リンク先ホームページサイトのサーバあるいはリンク先のホームページサイトのサーバに対しそのリンク先ホームページサイトのサーバあるいはリンク先のホームページサイトのサーバで管理するＵＲＬのホームページや、前記ホームページとリンクするリンク先ホームページサイトのホームページを含むホームページのダウンロード要求があると、そのダウンロードの要求に際して異なった情報内容のホームページファイルを構成して応答する。また、前記ダウンロードの要求が行われるたびに通常形態のホームページへ特殊クリックポイントＰＣＰをその配置情報を変えて埋め込み、ホームページのクリックポイントを含む構成内容が前記ダウンロード要求に際して異なるようにして、前記リンク先ホームページサイトのホームページあるいはリンク先のホームページサイトのホームページに対してダウンロードを要求するクライアント側に意外性や新鮮味を提供する。
このため、前記リンク先ホームページサイトのサーバ１０６、または前記リンク先のホームページサイトのサーバ１０８のトリガ読み取り機能２３が読み取った前記トリガをもとに、前記ダウンロード要求のたびに前記リンク先ホームページサイトのサーバまたはリンク先のホームページサイトのサーバにリンクするリンク先サイトのホームページを含む基本ホームページにおける特殊クリックポイントＰＣＰの配置を変えたり、また、リンク先ホームページ情報ファイルを変え、ダウンロード要求に際してホームページ情報の異なったホームページファイルを構成し、前記ダウンロード要求に応答する。
また、前記トリガは任意のタイミングにおいて手動で決定され前記ダウンロード要求に対し応答される場合もある。
また、前記ダウンロード応答後でも回線が接続された状態のクライアント側に対し、特殊クリックポイントやリンク先ホームページ情報ファイルが追加的に供給される場合があり、その際にも前記トリガをもとに特殊クリックポイント配置情報を生成して、新たな特殊クリックポイント埋め込みホームページ情報をクライアント側に供給する。
なお、クライアント側からのダウンロード要求に対し、通常ホームページと変わらないホームページファイルで応答する場合もある。
第４１図、第４２図、第４３図、第４４図は、この実施の形態３のホームページ情報供給方法の動作説明図である。また、第５２図、第５３図、第５４図、第５５図はその際のシーケンス概要を示す説明図であり、第５２図において、ＳＴ８０１は、クライアントからサーバ１０６あるいは１０８に対して要求を通知する。ＳＴ８０２は、サーバ１０６あるいは１０８側で受け取ったリクエストをサーバ４へ転送する。ＳＴ８０３は、サーバ４で作成したＰＣＰ配置情報をサーバ１０６あるいは１０８へ引き渡す。ＳＴ８０４は、サーバ１０６あるいは１０８ではクライアントからの要求への応答として通知する。▲３▼は受け取ったリクエストによるＰＣＰ埋め込み配置情報を決定、決定したＰＣＰ埋め込み配置情報を生成、▲５▼はサーバ１０６あるいは１０８ではサーバ４から受け取ったＰＣＰ配置情報を自らのＨＰに埋め込む。
第５３図において、ＳＴ９０１は、クライアントからサーバ１０６あるいは１０８に対して要求を通知する。ＳＴ９０２は、サーバ１０６あるいは１０８側で受け取ったリクエストをサーバ４へ転送する。ＳＴ９０３は、サーバ４で作成したＨＰをサーバ１０６あるいは１０８へ引き渡す。ＳＴ９０４は、サーバ１０６あるいは１０８ではサーバ４から受け取ったＨＰをクライアントからの要求への応答として通知する。▲３▼は受け取ったリクエストによるＰＣＰ埋め込み配置情報を決定、決定したＰＣＰ埋め込み配置情報に従って動的にＨＰを生成、▲５▼はサーバ１０６あるいは１０８ではサーバ４から受け取ったＨＰをクライアントからの要求への応答として通知する。
第５４図において、ＳＴ１００１は、クライアントからサーバ１０６に対して要求を通知する。ＳＴ１００２は、サーバ１０６側でクライアントから受け取ったリクエストをサーバ４へ転送する。ＳＴ１００３は、サーバ４で作成したＨＰをサーバ１０６へ引き渡す。ＳＴ１００４は、サーバ１０６ではサーバ４から受け取ったＨＰをクライアントからの要求への応答として通知する。▲３▼は受け取ったリクエストにより他のサーバから埋め込み情報を決定、決定したＰＣＰ埋め込みＨＰ情報に従って動的にＨＰを生成する。
第５５図において、ＳＴ１１０１は、クライアントからサーバ１０６あるいは１０８に対して要求を通知する。ＳＴ１１０２は、サーバ１０６あるいは１０８側でクライアントから受け取ったリクエストをサーバ４へ転送する。ＳＴ１１０３は、サーバ４で取得したＰＣＰ埋め込み機能をサーバ１０６あるいは１０８へ引き渡す。ＳＴ１１０４は、サーバ１０６あるいは１０８ではクライアントからの要求への応答として通知する。▲３▼は受け取ったリクエストによりＰＣＰ埋め込みを決定し、ＰＣＰ埋め込み機能を供給、▲５▼はサーバ１０６あるいは１０８ではサーバ４から受け取ったＰＣＰ埋め込み機能に従ってＰＣＰ埋め込みＨＰを作成する。
第４１図に示すホームページ情報供給方法では、クライアント側はリンク先ホームページサイトのサーバ１０６あるいはリンク先のホームページサイトのサーバ１０８に対し、インターネット１と符号１０５または符号１０７で示す経路制御装置を介してホームページのダウンロード要求を行う。
前記リンク先ホームページサイトのサーバ１０６あるいはリンク先のホームページサイトのサーバ１０８が確保しているＵＲＬのホームページについてクライアント側がダウンロード要求を行うと、前記リンク先ホームページサイトのサーバ１０６あるいはリンク先のホームページサイトのサーバ１０８は前記クライアント側へダウンロード応答を行い、さらにサーバ４へ前記実施の形態１で詳しく説明した動作指示情報やタイミング情報を送る。サーバ４は前記リンク先ホームページサイトのサーバ１０６あるいはリンク先のホームページサイトのサーバ１０８から送られてきた前記動作指示情報やタイミング情報に応じた特殊クリックポイント配置情報を生成し、前記リンク先ホームページサイトのサーバ１０６あるいはリンク先のホームページサイトのサーバ１０８へ供給する。
前記リンク先ホームページサイトのサーバ１０６あるいはリンク先のホームページサイトのサーバ１０８では、前記サーバ４から送られてきた前記特殊クリックポイント配置情報をもとに、前記ダウンロード要求にかかるホームページの基本ホームページへ特殊クリックポイントを埋め込み、前記特殊クリックポイントが埋め込まれた特殊クリックポイント埋込みホームページ情報を前記クライアント側へ供給する。
以上のように、第４１図に示すホームページ情報供給方法によれば、リンク先ホームページサイトのサーバ１０６あるいはリンク先のホームページサイトのサーバ１０８に対するクライアント側からのダウンロード要求に対し、前記リンク先ホームページサイトのサーバ１０６あるいはリンク先のホームページサイトのサーバ１０８から供給された動作指示情報やタイミング情報をもとにサーバ４から供給された、前記リンク先ホームページサイトのサーバ１０６あるいはリンク先のホームページサイトのサーバ１０８の基本ホームページへ特殊クリックポイントを埋め込むための特殊クリックポイント配置情報により、前記リンク先ホームページサイトのサーバ１０６あるいはリンク先のホームページサイトのサーバ１０８のホームページの基本ホームページへ特殊クリックポイントを埋め込んだ特殊クリックポイント埋込みホームページ情報を提供できるため、前記クライアント側へ提供する前記リンク先ホームページサイトのサーバ１０６あるいはリンク先のホームページサイトのサーバ１０８のホームページについて常に新鮮な感覚を与え興味を喚起できるホームページ情報供給方法およびサーバ装置が得られる効果がある。
次に、第４２図に示すホームページ情報供給方法について説明する。
第４２図に示すホームページ情報供給方法でも、クライアント側はリンク先ホームページサイトのサーバ１０６あるいはリンク先のホームページサイトのサーバ１０８に対し、インターネット１と符号１０５または符号１０７で示す経路制御装置を介してホームページのダウンロード要求を行う。
前記リンク先ホームページサイトのサーバ１０６あるいはリンク先のホームページサイトのサーバ１０８が確保するＵＲＬのホームページについてクライアント側がダウンロード要求を行うと、前記リンク先ホームページサイトのサーバ１０６あるいはリンク先のホームページサイトのサーバ１０８は前記クライアント側へダウンロード応答を行い、さらにサーバ４へ前記ダウンロード要求にかかるホームページについての前記実施の形態１で詳しく説明した動作指示情報やタイミング情報を送る。サーバ４は前記リンク先ホームページサイトのサーバ１０６あるいはリンク先のホームページサイトのサーバ１０８から送られてきた前記動作指示情報やタイミング情報に応じて、特殊クリックポイント配置情報を生成し、前記サーバ４が確保している。
前記ホームページのホームページ情報へ特殊クリックポイントをリンクさせ、前記サーバ４が確保しているホームページ情報を含む特殊クリックポイントが埋め込まれた特殊クリックポイント埋込みホームページ情報を前記リンク先ホームページサイトのサーバ１０６あるいはリンク先のホームページサイトのサーバ１０８へ供給し、前記リンク先ホームページサイトのサーバ１０６あるいはリンク先のホームページサイトのサーバ１０８は、前記特殊クリックポイント埋込みホームページ情報を前記クライアント側へ供給する。
以上のように、この第４２図に示すホームページ情報供給方法によれば、リンク先ホームページサイトのサーバ１０６あるいはリンク先のホームページサイトのサーバ１０８に対するクライアント側からのダウンロード要求に対し、前記リンク先ホームページサイトのサーバ１０６あるいはリンク先のホームページサイトのサーバ１０８から供給された動作指示情報やタイミング情報をもとに、そのリンク先ホームページサイトのサーバ１０６のホームページあるいはリンク先のホームページサイトのサーバ１０８のホームページへサーバ４から供給されたサーバ４が確保しているホームページ情報を含む特殊クリックポイント埋込みホームページ情報を埋め込んで提供できるため、前記クライアント側へ提供する前記リンク先ホームページサイトのサーバ１０６あるいはリンク先のホームページサイトのサーバ１０８のホームページについて常に新鮮な感覚を与え興味を喚起できるホームページ情報供給方法およびサーバ装置が得られる効果がある。
次に、第４３図に示すホームページ情報供給方法について説明する。
第４３図に示すホームページ情報供給方法でも、クライアント側はリンク先ホームページサイトのサーバ１０６またはリンク先のホームページサイトのサーバ１０８に対し、インターネット１と経路制御装置１０５または経路制御装置１０７を介してリンク先ホームページサイトのホームページのダウンロード要求を行う。
前記クライアント側からのダウンロード要求が、前記リンク先ホームページサイトのサーバ１０６に行われそのダウンロード要求がサーバ４が確保するＵＲＬのホームページとリンクするリンク先のホームページサイトのサーバ１０８のホームページについてのダウンロード要求であると、前記リンク先ホームページサイトのサーバ１０６は前記クライアント側へダウンロード応答を行い、さらにサーバ４へ前記ダウンロード要求にかかる前記リンク先のホームページサイトのサーバ１０８のホームページについての前記実施の形態１で詳しく説明した動作指示情報やタイミング情報を送る。サーバ４はリンク先のホームページサイトのサーバ１０８へ、そのリンク先のホームページサイトのサーバ１０８で確保しているホームページ情報を要求する。
前記リンク先のホームページサイトのサーバ１０８は、サーバ４から要求されたホームページ情報をサーバ４へ供給する。サーバ４では、前記リンク先ホームページサイトのサーバ１０６から送られてきた動作指示情報やタイミング情報をもとに、特殊クリックポイント配置情報を生成し、前記配置が規定された特殊クリックポイントと前記リンク先のホームページサイトのサーバ１０８から供給されたホームページ情報をリンクさせて、前記リンク先のホームページサイトのサーバ１０８のホームページ情報を含む特殊クリックポイントが埋め込まれた特殊クリックポイント埋込みホームページ情報を生成し、リンク先ホームページサイトのサーバ１０６へ供給する。前記リンク先ホームページサイトのサーバ１０６は、そのリンク先ホームページサイトのサーバで確保している基本ホームページに前記リンク先のホームページサイトのホームページ情報を含む特殊クリックポイントが埋め込まれた特殊クリックポイント埋め込みホームページ情報を前記クライアント側へ供給する。
以上のように、この第４３図に示すホームページ情報供給方法によれば、クライアント側はリンク先ホームページサイトのサーバ１０６に対するダウンロード要求により、そのリンク先ホームページサイトのサーバのホームページにリンクするホームページに再リンクする再リンク先のホームページサイトのサーバ１０８へアクセスするクライアントに対し提供される前記再リンク先のホームページサイトのホームページの内容について、常に新鮮な感覚を与え興味を喚起できるホームページ情報供給方法および装置が得られる効果がある。
次に、第４４図に示すホームページ情報供給方法について説明する。
第４４図に示すホームページ情報供給方法でも、クライアント側はリンク先ホームページサイトのサーバ１０６またはリンク先のホームページサイトのサーバ１０８に対し、インターネット１と経路制御装置１０６または経路制御装置１０７を介して前記ホームページのダウンロード要求を行う。クライアント側からのダウンロード要求に対し前記ダウンロード要求にかかるリンク先ホームページサイトのサーバ１０６、またはリンク先のホームページサイトのサーバ１０８はダウンロード応答を行うとともに、サーバ４へ前記実施の形態１で詳しく説明した動作指示情報やタイミング情報を送る。サーバ４は前記リンク先ホームページサイトのサーバから送られてきた動作指示情報やタイミング情報に応じて特殊クリックポイント埋込み機能２５を前記動作指示情報やタイミング情報を送ってきたリンク先ホームページサイトのサーバ１０６、あるいはリンク先のホームページサイトのサーバ１０８へ供給する。前記リンク先ホームページサイトのサーバ１０６、あるいはリンク先のホームページサイトのサーバ１０８は、サーバ４から供給された特殊クリックポイント埋込み機能２５を利用して特殊クリックポイントやリンク先ホームページ情報を前記ダウンロード要求されたホームページへ埋め込み、特殊クリックポイントやリンク先ホームページ情報が埋め込まれた特殊クリックポイント埋込みホームページ情報を前記クライアント側へ供給する。なお、前記サーバ４において前記動作指示情報やタイミング情報に応じてトリガ読み取り機能を供給する実施の形態１で説明した方法で、リンク先サイトのサーバ側へ特殊クリックポイント埋め込み機能２５を供給する場合もある。
以上のように、この第４４図に示すホームページ情報供給方法によれば、リンク先ホームページサイトのサーバ１０６またはリンク先のホームページサイトのサーバ１０８に対するダウンロード要求により、そのリンク先ホームページサイトのサーバ１０６あるいはリンク先のホームページサイトのサーバ１０８のホームページへアクセスするクライアントに対し提供される前記ホームページの内容に、サーバ４から供給される特殊クリックポイント埋込み機能２５により特殊クリックポイントを埋め込むことが出来、特殊クリックポイントが埋め込まれた特殊クリックポイント埋め込みホームページ情報をクライアント側へ供給することが可能になり、常に新鮮な感覚を与え興味を喚起できるホームページ情報供給方法および装置が得られる効果がある。
実施の形態４．
次に、この実施の形態４によるホームページ情報供給方法について説明する。以下に説明するホームページ情報供給方法ではクライアント側はダウンロード要求を端末１０９、または端末１１０へ行う。なお第１図、第２図の構成はこの実施の形態４にも適用されるが、前記端末１０９および端末１１０は「サーバ機能」や「キャッシュ機能」や「ルータ機能」などの役割を担うように設計されており、本来「サーバ装置」が担う機能や「経路制御装置」が担うルータ機能をソフトウェアなどにより担うことが可能である。従って前記端末１０９、１１０をインターネットに接続する上でサーバ装置や経路制御装置を必要としない。
ここで、実施の形態４のホームページ情報供給方法ではクライアント側から前記端末１０９あるいは端末１１０が管理するＵＲＬのホームページや、前記ホームページとリンクするリンク先ホームページサイトのホームページを含むホームページのダウンロード要求があると、そのダウンロード要求ごとに異なった情報内容のホームページファイルを構成して応答する。またダウンロード要求が行われるたびに通常形態のホームページへ特殊クリックポイントＰＣＰをその配置情報を変えて埋め込み、ホームページのクリックポイントを含む構成内容が前記ダウンロード要求に際し異なるようにして、前記端末１０９のホームページサイトあるいは端末１１０のホームページサイトのホームページに対してダウンロードを要求するクライアント側に意外性や新鮮味を提供する。
このため、前記端末１０９、または端末１１０のトリガ読み取り機能２３が読み取った前記トリガをもとに、前記ダウンロード要求に際して前記端末１０９あるいは端末１１０にリンクするリンク先サイトのホームページを含む基本ホームページにおける特殊クリックポイントＰＣＰの配置を変えたり、またリンク先ホームページ情報ファイルを変え、ダウンロード要求に際しホームページ情報の異なったホームページファイルを構成し、前記ダウンロード要求に応答する。また前記トリガは任意のタイミングにおいて手動で決定され前記ダウンロード要求に対し応答される場合がある。
また、前記ダウンロード応答後でも回線が接続された状態のクライアント側に対し、特殊クリックポイントやリンク先ホームページ情報ファイルが追加的に繰り返し供給される場合があり、その際にも前記トリガをもとに特殊クリックポイント配置情報を生成して、新たな特殊クリックポイント埋め込みホームページ情報をクライアント側に供給する。
なおクライアント側からのダウンロード要求に対し、通常ホームページと変わらないホームページファイルで応答する場合もある。
このため前記端末１０９あるいは端末１１０は前記実施の形態１、実施の形態２、実施の形態３において詳しく説明したホームページ情報供給方法にもとづいて特殊クリックポイント埋め込みホームページ情報を前記クライアント側へ供給する。
従って、この実施の形態４によれば端末１０９、または端末１１０に対するダウンロード要求に対し端末１０９あるいは端末１１０が管理するＵＲＬのホームページや、前記ホームページとリンクするリンク先ホームページサイトのホームページに、特殊クリックポイントやリンク先ホームページ情報が埋め込まれた特殊クリックポイント埋め込みホームページ情報をクライアント側へ提供できるため、前記クライアント側へ提供する前記端末１０９あるいは端末１１０のホームページについて常に新鮮な感覚を与え興味を喚起できるホームページ情報供給方法および装置が得られる効果がある。
産業上の利用可能性
以上のように、この発明に係るホームページ情報供給方法および装置は、リンク先ホームページサイトを含むホームページサイトへアクセスするクライアントに対し、常に新鮮な感覚を与え興味を喚起できるホームページ情報を供給するのに適している。
【図面の簡単な説明】
第１図は、この発明の実施の形態１のホームページ情報供給方法が適用されるネットワーク構成図である。
第２図は、この発明の実施の形態１のホームページ情報供給方法を実現するサーバの構成を示す機能ブロック図である。
第３図は、この発明の実施の形態１のホームページ情報供給方法を実現する際のサーバの動作およびクライアント側の画面運移を含む動作を示すフローチャートである。
第４図は、この発明の実施の形態１の第３図に示すステップＳＴ４からステップＳＴ１１までの各ステップにおける画面遷移図である。
第５図は、この発明の実施の形態１における第３図のステップＳＴ３の判定処理において「条件下起動」である場合に続くフローチャートである。
第６図は、この発明の実施の形態１における通常のホームページに対する特殊クリックポイントの埋め込みについての説明図である。
第７図は、この発明の実施の形態１における第２０図の「モノものタウン」のホームページトップ画面、および第２１図の「ＸＸＸセレクション」トップ画面がクリックされるとどの画面へ遷移するかを示す画面遷移図である。
第８図は、この発明の実施の形態１においてダウンロード要求が「ダウンロード後にクライアント側で特殊クリックポイントＰＣＰをホームページへ埋め込む形態のダウンロード要求」である場合に移行するフローチャートである。
第９図は、この発明の実施の形態１においてサーバからクライアント側へ送られる送受信データについての説明図である。
第１０図は、この発明の実施の形態１においてサーバからクライアント側へ特殊クリックポイントＰＣＰの埋め込み機能がダウンロードされることを示す説明図である。
第１１図は、この発明の実施の形態１においてダウンロード後にクライアント側で特殊クリックポイントを埋め込む場合の画面遷移図である。
第１２図は、この発明の実施の形態１においてクライアント側で表示される通常ホームページのトップ画面である。
第１３図は、この発明の実施の形態１においてクライアント側で表示される通常ホームページの総合案内画面である。
第１４図は、この発明の実施の形態１においてクライアントで表示されるお知らせ画面である。
第１５図は、この発明の実施の形態１においてクライアント側で表示されるＸＸＸセレクショントップ画面である。
第１６図は、この発明の実施の形態１においてクライアント側で表示されるＸＸＸセレクションお知らせ画面である。
第１７図は、この発明の実施の形態１においてクライアント側で表示されるＸＸＸセレクション掲示板画面である。
第１８図は、この発明の実施の形態１においてクライアント側で表示されるＸＸＸセレクション商品一覧画面である。
第１９図は、この発明の実施の形態１においてクライアント側で表示されるＸＸＸセレクション商品注文画面である。
第２０図は、この発明の実施の形態１による「モノものタウン」トップ画面における特殊クリックポイントの配置図である。
第２１図は、この発明の実施の形態１における特殊クリックポイントが埋め込まれている「ＸＸＸセレクション」トップ画面である。
第２２図は、この発明の実施の形態１における広告情報画面（バナー広告）の一例を示す画面図である。
第２３図は、この発明の実施の形態１における簡単ゲーム画面の一例を示す画面図である。
第２４図は、この発明の実施の形態１において特殊クリックポイントの埋め込み先のホームページをセル分割して行番号と列番号で表す埋め込み位置情報を示す説明図である。
第２５図は、この発明の実施の形態１においてセル（ｉ，ｊ）（ｉ，ｍ）に対応する特殊クリックポイントのグラフィックファイル名の関係を示す説明図である。
第２６図は、この発明の実施の形態１における２つのセルに特殊クリックポイントが埋め込まれている場合の特殊クリックポイント配置ファイルの構成例を示す説明図である。
第２７図は、この発明の実施の形態１において特殊クリックポイントの配置をクライアント側のアクセスごとに変化させる第１の手法についての概念図である。
第２８図は、この発明の実施の形態１において特殊クリックポイントの配置をクライアント側のアクセスごとに変化させる第１の手法についての概念図である。
第２９図は、この発明の実施の形態１において末尾数がトリガとなり計算ロジックが起動しＰＣＰ配置パターンを選択し通常のホームページへ特殊クリックポイントを埋め込む第２の手法を示す概念図である。
第３０図は、この発明の実施の形態１において末尾数からランダム配置ロジックが関与してランダムに特殊クリックポイントを配置し、かつ、リンク先のファイルもランダムに選択する第３の手法を示す概念図である。
第３１図は、この発明の実施の形態１においてＢＰＣＰグラフィックファイル、ＵＰＣＰグラフィックファイル、ＩＰＣＰグラフィックファイル、ＥＰＣＰグラフィックファイルを通常のホームページへ重ねる状態を示す概念図である。また、特殊クリックポイントＰＣＰが基本ホームページに上書きされる形態で埋め込まれることを示す概念図である。
第３２図は、この発明の実施の形態１における特殊クリックポイントとともに埋め込まれるファイルの関係を示す説明図である。
第３３図は、この発明の実施の形態１においてダウンロード後でも特殊クリックポイントが埋め込まれたファイルを作成することを示す説明図である。
第３４図は、この発明の実施の形態１においてダウンロード要求が「ダウンロード後にクライアント側で特殊クリックポイントＰＣＰをホームページへ埋め込む形態のダウンロード要求」である場合のホームページ情報供給方法の動作を示す動作説明図である。
第３５図は、この発明の実施の形態１においてダウンロード要求が「ダウンロード後にクライアント側で特殊クリックポイントＰＣＰをホームページへ埋め込む形態のダウンロード要求」であり「トリガ読取り機能」を供給してＰＣＰをホームページへ埋め込む場合のホームページ情報供給方法の動作を示す動作説明図である。
第３６図は、この発明の実施の形態１においてダウンロード要求が「特殊クリックポイントＰＣＰを埋め込んだホームページのダウンロード要求」である場合のホームページ情報供給方法の動作を示す動作説明図である。
第３７図は、この発明の実施の形態２においてリンク先のホームページあるいはリンク先ホームページのダウンロード要求がクライアント側からサーバへ行われたときの動作説明図である。
第３８図は、この発明の実施の形態２においてリンク先のホームページあるいはリンク先ホームページのダウンロード要求がクライアント側からサーバへ行われたときの動作説明図である。
第３９図は、この発明の実施の形態２においてリンク先のホームページあるいはリンク先ホームページのダウンロード要求がクライアント側からサーバ行われたときの動作説明図である。
第４０図は、この発明の実施の形態２においてリンク先のホームページあるいはリンク先ホームページのダウンロード要求がクライアント側からサーバへ行われたときの動作説明図である。
第４１図は、この発明の実施の形態３のホームページ情報供給方法の動作説明図である。
第４２図は、この発明の実施の形態３のホームページ情報供給方法の動作説明図である。
第４３図は、この発明の実施の形態３のホームページ情報供給方法の動作説明図である。
第４４図は、この発明の実施の形態３のホームページ情報供給方法の動作説明図である。
第４５図は、この発明の実施の形態１のホームページ情報供給方法のシーケンス概要を示す説明図である。
第４６図は、この発明の実施の形態１のホームページ情報供給方法のシーケンス概要を示す説明図である。
第４７図は、この発明の実施の形態１のホームページ情報供給方法のシーケンス概要を示す説明図である。
第４８図は、この発明の実施の形態２のホームページ情報供給方法のシーケンス概要を示す説明図である。
第４９図は、この発明の実施の形態２のホームページ情報供給方法のシーケンス概要を示す説明図である。
第５０図は、この発明の実施の形態２のホームページ情報供給方法のシーケンス概要を示す説明図である。
第５１図は、この発明の実施の形態２のホームページ情報供給方法のシーケンス概要を示す説明図である。
第５２図は、この発明の実施の形態３のホームページ情報供給方法のシーケンス概要を示す説明図である。
第５３図は、この発明の実施の形態３のホームページ情報供給方法のシーケンス概要を示す説明図である。
第５４図は、この発明の実施の形態３のホームページ情報供給方法のシーケンス概要を示す説明図である。
第５５図は、この発明の実施の形態３のホームページ情報供給方法のシーケンス概要を示す説明図である。
第５６図は、この発明の実施の形態１においてＰＣＰの配置を規定する第１の手法について、ＰＣＰ配置情報の決定プロセスを説明する動作フローを示す説明図である。
第５７図は、この発明の実施の形態１においてＰＣＰの配置を規定する第２の手法についてＰＣＰ配置情報の決定プロセスを説明する動作フローを示す説明図である。
第５８図は、この発明の実施の形態１においてＰＣＰの配置を規定する第３の手法についてＰＣＰ配置情報の決定プロセスを説明する動作フローを示す説明図である。
【図１】
2003107195.tif 000003
【図２】
2003107195.tif 000004
【図３】
2003107195.tif 000005
【図４】
2003107195.tif 000006
【図５】
2003107195.tif 000007
【図６】
2003107195.tif 000008
【図７】
2003107195.tif 000009
【図８】
2003107195.tif 000010
【図９】
2003107195.tif 000011
【図１０】
2003107195.tif 000012
【図１１】
2003107195.tif 000013
【図１２】
2003107195.tif 000014
【図１３】
2003107195.tif 000015
【図１４】
2003107195.tif 000016
【図１５】
2003107195.tif 000017
【図１６】
2003107195.tif 000018
【図１７】
2003107195.tif 000019
【図１８】
2003107195.tif 000020
【図１９】
2003107195.tif 000021
【図２０】
2003107195.tif 000022
【図２１】
2003107195.tif 000023
【図２２】
2003107195.tif 000024
【図２３】
2003107195.tif 000025
【図２４】
2003107195.tif 000026
【図２５】
2003107195.tif 000027
【図２６】
2003107195.tif 000028
【図２７】
2003107195.tif 000029
【図２８】
2003107195.tif 000030
【図２９】
2003107195.tif 000031
【図３０】
2003107195.tif 000032
【図３１】
2003107195.tif 000033
【図３２】
2003107195.tif 000034
【図３３】
2003107195.tif 000035
【図３４】
2003107195.tif 000036
【図３５】
2003107195.tif 000037
【図３６】
2003107195.tif 000038
【図３７】
2003107195.tif 000039
【図３８】
2003107195.tif 000040
【図３９】
2003107195.tif 000041
【図４０】
2003107195.tif 000042
【図４１】
2003107195.tif 000043
【図４２】
2003107195.tif 000044
【図４３】
2003107195.tif 000045
【図４４】
2003107195.tif 000046
【図４５】
2003107195.tif 000047
【図４６】
2003107195.tif 000048
【図４７】
2003107195.tif 000049
【図４８】
2003107195.tif 000050
【図４９】
2003107195.tif 000051
【図５０】
2003107195.tif 000052
【図５１】
2003107195.tif 000053
【図５２】
2003107195.tif 000054
【図５３】
2003107195.tif 000055
【図５４】
2003107195.tif 000056
【図５５】
2003107195.tif 000057
【図５６】
2003107195.tif 000058
【図５７】
2003107195.tif 000059
【図５８】
2003107195.tif 000060
【国際調査報告】
2003107195.tif 000061
2003107195.tif 000062
2003107195.tif 000063
2003107195.tif 000064